(57)【要約】  全地形万能車等の車両が、フレーム及びフェンダーアセンブリを装備し得る。該フェンダーアセンブリは、ボルト及びＴナットで共に取り付けられる重構造のフェンダーパネルを有し得る。所定の通路に沿った流体の通過を容易にするために、溝部が、該フェンダーパネル間に形成され得る。シートが、該フレームに対してフェンダーアセンブリを挟み込むための圧縮面を有する。フロント及びリヤフェンダーアセンブリは、フロント及びリヤフェンダーアセンブリの各々における各孔部及びグロメットを通じて該フレーム内に通過する中間ファスナーにより該フレームに取り付けられ得る。ステーアセンブリが、該フェンダーアセンブリに対して泥よけを取り付け、また、旋回クリップを備え得る。方法もまた提供される。
2009544529.tif 000002
【特許請求の範囲】
【請求項１】
フレーム；
該フレームに対して支持される第１のホイール；
該フレームに対して支持される第２のホイール；
該フレームに取り付けられ、該第１のホイール及び第２のホイールの各々にわたり少なくとも部分的に延びる第１のフェンダーパネル；並びに
該第１のフェンダーパネルを少なくとも部分的に覆い、該第１のホイール及び第２のホイールの各々にわたり少なくとも部分的に延びる第２のフェンダーパネル
を有する全地形万能車。
【請求項２】
該第１のフェンダーパネル及び該第２のフェンダーパネルの各々が、プラスチックから形成されるものである請求項１記載の全地形万能車。
【請求項３】
該第１のフェンダーパネル及び該第２のフェンダーパネルが、異なる色を有するものである請求項１記載の全地形万能車。
【請求項４】
該第２のフェンダーパネルが、該フレーム及び第１のフェンダーパネルの少なくとも一方に取り外し可能に取り付けられる請求項１記載の全地形万能車。
【請求項５】
該第２のフェンダーパネルの一部が、該第１のフェンダーパネルの外周部の一部を越えて延びる請求項１記載の全地形万能車。
【請求項６】
該第１のフェンダーパネルの一部が、該第２のフェンダーパネルの外周部の一部を越えて延びる請求項１記載の全地形万能車。
【請求項７】
該第１のホイール及び第２のホイールの各々が、全地形万能車のリヤホイールを有するものである請求項１記載の全地形万能車。
【請求項８】
該第１のフェンダーパネル及び第２のフェンダーパネルの各々が、全地形万能車の左側から全地形万能車の右側へ連続して延びる請求項１記載の全地形万能車。
【請求項９】
該第１のフェンダーパネルが、第１の上面及び第１の底面を有し、該第１の上面の一部が、装飾的なボディ面を規定し、また、該第１の底面の少なくとも一部が、該第１のホイール及び第２のホイールの各々により投げ出される岩屑からの接触を受けるために配置される請求項１記載の全地形万能車。
【請求項１０】
該第２のフェンダーパネルが、第２の上面及び第２の底面を有し、該第２の上面の少なくとも一部が、装飾的なボディ面を規定し、また、該第２の底面の一部が、該第１のホイール及び第２のホイールの各々により投げ出される岩屑からの接触を受けるために配置される請求項９記載の全地形万能車。
【請求項１１】
該第１のフェンダーパネルが、該第２のフェンダーパネルに接触する請求項１記載の全地形万能車。
【請求項１２】
フレーム；
該フレームに対して支持される複数のホイール；
該フレームに取り付けられ、第１の上面及び第１の底面を有する第１のパネルであって、該第１の上面の一部が、全地形万能車用の装飾的なボディ面を規定し、該第１のパネルが、全地形万能車の左側から全地形万能車の右側へ連続して延び、該ホイールの少なくとも２つにわたり延び、また、該第１の底面が、該ホイールの該少なくとも２つにより投げ出される岩屑からの接触を受けるべく配置される第１のパネル；並びに
該第１のパネルに取り外し可能に取り付けられ、第２の上面及び第２の底面を有する第２のパネルであって、該第２の上面の少なくとも一部が、全地形万能車用の装飾的なボディ面を規定し、該第２の底面の一部が、該第１の上面の少なくとも一部に隣接し、該第２の底面の他の一部が、該ホイールの該少なくとも２つの少なくとも一方により投げ出される岩屑からの接触を受けるべく配置される第２のパネル
を有する全地形万能車。
【請求項１３】
該第２のパネルの一部が、該第１のパネルの外周部の一部を越えて延びる請求項１２記載の全地形万能車。
【請求項１４】
該第１のパネル及び第２のパネルが、異なる色を有するものである請求項１２記載の全地形万能車。
【請求項１５】
該複数のホイールが、フロントホイール及びリヤホイールを有し、該第１のパネル及び第２のパネルが共に該リヤホイール用のフェンダーを規定する請求項１２記載の全地形万能車。
【請求項１６】
該第２のパネルが、全地形万能車の左側から全地形万能車の右側へ連続して延び、該ホイールの該少なくとも２つにわたり延びる請求項１２記載の全地形万能車。
【請求項１７】
該第２の底面が、該ホイールの該少なくとも２つにより投げ出される岩屑からの接触を受けるべく配置される請求項１６記載の全地形万能車。
【請求項１８】
フレーム；
該フレームに対して支持される複数のホイール；
該フレームに取り付けられ、第１の上面及び第１の底面を有する第１のフェンダーパネルであって、該第１の底面が該ホイールの少なくともひとつにより投げ出される岩屑からの接触を受けるべく配置される第１のフェンダーパネル；並びに
該第１のフェンダーパネルに対して取り付けられ、第２の上面及び第２の底面を有する第２のフェンダーパネルであって、該第２の底面の一部が該第１の上面の少なくとも一部に隣接し、該第２の底面の他の一部が、該ホイールの該少なくともひとつにより投げ出される岩屑からの接触を受けるべく配置される第２のフェンダーパネル
を有する全地形万能車。
【請求項１９】
該第１の上面の一部が、装飾的なボディ面を規定し、該第２の上面の少なくとも一部が、装飾的なボディ面を規定する請求項１８記載の全地形万能車。
【請求項２０】
該第１のフェンダーパネル及び第２のフェンダーパネルの各々が、プラスチックから形成される請求項１８記載の全地形万能車。
【請求項２１】
該第１のフェンダーパネル及び第２のフェンダーパネルが、異なる色を有するものである請求項１８記載の全地形万能車。
【請求項２２】
該第２のフェンダーパネルが、該フレーム及び第１のフェンダーパネルの少なくとも一方に取り外し可能に取り付けられる請求項１８記載の全地形万能車。
【請求項２３】
該第２のフェンダーパネルの一部が、該第１のフェンダーパネルの外周部の一部を越えて延びる請求項１８記載の全地形万能車。
【請求項２４】
該第１のフェンダーパネルの一部が、該第２のフェンダーパネルの外周部の一部を越えて延びる請求項１８記載の全地形万能車。
【請求項２５】
該第１のフェンダーパネル及び第２のフェンダーパネルの少なくとも一方が、全地形万能車の左側から全地形万能車の右側へ連続して延びる請求項１８記載の全地形万能車。
【請求項２６】
該第１のフェンダーパネルが、該第２のフェンダーパネルに接触する請求項１８記載の全地形万能車。
【請求項２７】
孔部を規定する第１のパネル；
ベース部とネジ付き孔部を規定するネック部とを有するＴナット；
ポケットを有する第２のパネルであって、該ポケットが第２のパネルを通じて延びる開口部を規定し、該ポケットが、該Ｔナットのネック部が該開口部内に延びるように、スナップ式構成でＴナットのベース部を受けるように構成される第２のパネル；並びに
該第２のパネルへの第１のパネルの取付けを容易にすべく、該第１のパネルにおける孔部内と該Ｔナットにおけるネジ付き孔部内とへの挿入用に構成されるボルト
を有するパネルアセンブリ。
【請求項２８】
該第１のパネル及び第２のパネルの各々が、プラスチックを含むものである請求項２７記載のパネルアセンブリ。
【請求項２９】
該第１のパネル及び第２のパネルが、車両用のボディパネルを有するものである請求項２８記載のパネルアセンブリ。
【請求項３０】
該車両用のボディパネルが、フェンダーパネルを有するものである請求項２９記載のパネルアセンブリ。
【請求項３１】
該第１のパネルが、該孔部を内側に規定する環状部を有し、該環状部が、環状部に外側で隣接する第１のパネルの部分の厚さより大きい厚さを有し、該ボルトが、圧縮面を有するパンヘッドを有し、該圧縮面が、該第１のパネルの環状部に接触するように構成される請求項２７記載のパネルアセンブリ。
【請求項３２】
該ポケットが、スナップ式構成でＴナットのベース部の保持を選択的に容易にするように構成される２つのコーナ・ストップを有するものである請求項２７記載のパネルアセンブリ。
【請求項３３】
該ポケットが、Ｔナットが通過用に構成される周囲部を有し、該周囲部が、２つの斜角コーナを有するが、それ以外は全体として矩形である請求項３２記載のパネルアセンブリ。
【請求項３４】
該ポケットが、該周囲部から延びるとともに該斜角コーナの各々に隣接した切欠き部を備える壁部をさらに有し、該斜角コーナ及び切欠き部が該コーナ・ストップを共に規定する請求項３３記載のパネルアセンブリ。
【請求項３５】
ポケットを有するパネルであって、該ポケットが、パネルを通じて延びる開口部を規定し、該ポケットが、Ｔナットのネック部が該開口部内に延びるように、スナップ式構成でＴナットのベース部を受けるように構成されるパネル。
【請求項３６】
該ポケットが、スナップ式構成でＴナットのベース部の保持を選択的に容易にするように構成される２つのコーナ・ストップを有する請求項３５記載のパネル。
【請求項３７】
該ポケットが、Ｔナットが通過用に構成される周囲部を有し、該周囲部が、２つの斜角コーナを有するが、それ以外は全体として矩形である請求項３６記載のパネル。
【請求項３８】
該ポケットが、該周囲部から延びるとともに該斜角コーナの各々に隣接した切欠き部を備える壁部をさらに有し、該斜角コーナ及び切欠き部が該コーナ・ストップを共に規定する請求項３７記載のパネル。
【請求項３９】
プラスチックを含む請求項３８記載のパネル。
【請求項４０】
車両用のボディパネルを有する請求項３９記載のパネル。
【請求項４１】
フェンダーパネルを有する請求項４０記載のパネル。
【請求項４２】
孔部を規定する第１のボディパネル；
ベース部及びネック部を有するＴナットであって、該ネック部がネジ付き孔部を規定するＴナット；
ポケットを有する第２のボディパネルであって、該ポケットが、第２のボディパネルを通じて延びる開口部を規定し、該ポケットが、該Ｔナットが開口部内に延びるように、スナップ式構成でＴナットのベース部を受けるように構成される第２のボディパネル；並びに
該第２のボディパネルへの第１のボディパネルの取付けを容易にすべく、該第１のボディパネルにおける孔部内と該Ｔナットにおけるネジ付き孔部内とへの挿入用に構成されるボルト
を有する車両。
【請求項４３】
該第１のボディパネル及び第２のボディの各々が、プラスチックを有するものである請求項４２記載の車両。
【請求項４４】
該第１のボディパネル及び第２のボディパネルが、各フェンダーパネルを有するものである請求項４３記載の車両。
【請求項４５】
該ポケットが、スナップ式構成で該Ｔナットのベース部の保持を選択式に容易にするように構成される２つのコーナ・ストップを有するものである請求項４４記載の車両。
【請求項４６】
孔部を規定する第１のプラスチックフェンダーパネル；
ベース部及びネック部を有するＴナットであって、該ネック部がネジ付き孔部を規定するＴナット；
ポケットを有する第２のプラスチックフェンダーパネルであって、該ポケットが、第２のボディパネルを通じて延びる開口部を規定し、該ポケットが、該Ｔナットのネック部が開口部内に延びるように、スナップ式構成でＴナットのベース部を受けるように構成される第２のプラスチックフェンダーパネル；並びに
該第２のボディパネルに対する第１のボディパネルの取付けを容易にすべく、該第１のボディパネルにおける孔部内と該Ｔナットにおけるネジ付き孔部内とへの挿入用に構成されるボルト
を有する全地形万能車。
【請求項４７】
該ポケットが、スナップ式構成で該Ｔナットのベース部の保持を選択的に容易にするように構成される２つのコーナ・ストップを有するものである請求項４６記載の全地形万能車。
【請求項４８】
少なくとも部分的に重なる構成で、第１及び第２のボディパネルを提供する工程であって、該第１のボディパネルは孔部を規定し、該第２のボディパネルはポケットを規定し、また、該ポケットは第２のパネルを通じて延びる開口部を規定する該工程；
Ｔナットのネック部が第２のボディパネルにおける開口部内に延びるように、Ｔナットをスナップ式構成でポケット内に挿入する工程；並びに
該第１のボディパネルにおける孔部内とＴナットのネック部におけるネジ付き孔部内とにボルトを挿入することにより、該第２のボディパネルに第１のボディパネルを取り付ける工程
を有する車両の製造方法。
【請求項４９】
フレーム；
該フレームに対して支持されるホイール；並びに
下側フェンダーパネル、及び、該下側フェンダーパネルに少なくとも部分的に重なる上側フェンダーパネルであって、該上側フェンダーパネルの一部は、間隔をおかれた関係で下側フェンダーパネルの一部と共同してアクセス開口部及び溝部の両方を規定し、該溝部が、該ホイールに少なくとも部分的に重なり、該アクセス開口部から所定の出口開口部への所定の通路に沿った流体の通過を容易にするように構成される上側フェンダーパネルを備えたフェンダーアセンブリ
を有する全地形万能車。
【請求項５０】
該上側フェンダーパネルが、該溝部の両側で下側フェンダーパネルに取り付けられる請求項４９記載の全地形万能車。
【請求項５１】
該上側フェンダーパネルが、該溝部の両側で下側フェンダーパネルに接触する請求項５０記載の全地形万能車。
【請求項５２】
該溝部が、全地形万能車の前方端部から全地形万能車の後方端部へ全体として長手方向に方向付けられた方向に延びる請求項４９記載の全地形万能車。
【請求項５３】
該アクセス開口部が、全地形万能車の前方端部に向かって指向させられる請求項４９記載の全地形万能車。
【請求項５４】
該所定の出口開口部が、該下側フェンダーパネルにより少なくとも部分的に規定される請求項４９記載の全地形万能車。
【請求項５５】
該所定の出口開口部が、下方に向けられる請求項５４記載の全地形万能車。
【請求項５６】
該溝部が、該下側フェンダーパネルのくぼみ部分により部分的に規定される請求項４９記載の全地形万能車。
【請求項５７】
該ホイールが、フロントホイールを有し、該フェンダーアセンブリが、該フロントホイールにわたり少なくとも部分的に延びる請求項４９記載の全地形万能車。
【請求項５８】
該ホイールが、リヤホイールを有し、該フェンダーアセンブリが、該リヤホイールにわたり少なくとも部分的に延びる請求項４９に記載の全地形万能車。
【請求項５９】
下側フェンダーパネル；及び
その一部が、間隔をおかれた関係で下側フェンダーパネルの一部と共同してアクセス開口部及び溝部の両方を規定するように、部分的に重なり合う関係での下側フェンダーパネルへの取付け用に構成される上側フェンダーパネルであって、該溝部が、アクセス開口部から所定の出口開口部への所定の通路に沿った流体の通過を容易にするように構成される上側フェンダーパネル
を有する全地形万能車用フェンダーアセンブリ。
【請求項６０】
該上側フェンダーパネルが、該溝部の両側における下側フェンダーパネルへの取付け用に構成される請求項５９記載のフェンダーアセンブリ。
【請求項６１】
該上側フェンダーパネルが、該溝部の両側で下側フェンダーパネルに接触するように構成される請求項６０記載のフェンダーアセンブリ。
【請求項６２】
該所定の出口開口部が、該下側フェンダーパネルにより少なくとも部分的に規定される請求項５９記載のフェンダーアセンブリ。
【請求項６３】
該溝部が、該下側フェンダーパネルのくぼみ部分により部分的に規定される請求項５９記載のフェンダーアセンブリ。
【請求項６４】
フレーム；
該フレームに対して支持される左ホイール；
該フレームに対して支持される右ホイール；並びに
下側フェンダーパネル、及び、該下側フェンダーパネルに少なくとも部分的に重なる上側フェンダーパネルであって、該上側フェンダーパネルの左部分が、間隔をおかれた関係で該下側フェンダーパネルの左部分と共同して左アクセス開口部及び左溝部の両方を規定し、該左溝部が、少なくとも部分的に左ホイールの上に位置し、左アクセス開口部から所定の出口開口部への左の所定の通路に沿った流体の通過を容易にするように構成され、該上側フェンダーパネルの右部分が、間隔をおかれた関係で該下側フェンダーパネルの右部分と共同して右アクセス開口部及び右溝部の両方を規定し、該右溝部が、少なくとも部分的に右ホイールの上に位置し、右アクセス開口部から所定の出口開口部への右の所定の通路に沿った流体の通過を容易にするように構成される上側フェンダーパネルを備えたフェンダーアセンブリ
を有する全地形万能車。
【請求項６５】
該上側フェンダーパネルが、該左溝部の両側及び該右溝部の両側で該下側フェンダーパネルに取り付けられる請求項６４に記載の全地形万能車。
【請求項６６】
該上側フェンダーパネルが、該左溝部の両側及び該右溝部の両側で該下側フェンダーパネルに接触する請求項６５に記載の全地形万能車。
【請求項６７】
該左溝部が、全地形万能車の前方端部から全地形万能車の後方端部へ全体として長手方向に方向付けられる方向に延び、また、該右溝部が、全地形万能車の前方端部から全地形万能車の後方端部へ全体として長手方向に方向付けられる方向に延びる請求項６４記載の全地形万能車。
【請求項６８】
該左アクセス開口部及び右アクセス開口部の各々が、全地形万能車の前方端部に向かって指向させられる請求項６４記載の全地形万能車。
【請求項６９】
該左溝部及び右溝部が、該下側フェンダーパネルの各くぼみ部分により部分的に規定される請求項６４記載の全地形万能車。
【請求項７０】
該左ホイール及び右ホイールが、フロントホイールを有し、また、該フェンダーアセンブリが、少なくとも部分的に該フロントホイールにわたり延びる請求項６４記載の全地形万能車。
【請求項７１】
該左ホイール及び右ホイールが、リヤホイールを有し、また、該フェンダーアセンブリが、少なくとも部分的に該リヤホイールにわたり延びる請求項６４記載の全地形万能車。
【請求項７２】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進する全地形万能車。
【請求項７３】
該上側フェンダーパネルの一部が、間隔をおかれた関係で該下側フェンダーパネルの一部と共同してアクセス開口部及び溝部の両方を規定し、該溝部が、少なくとも部分的にホイールの上に位置し、該第１の内側端部と取付け位置との間に配置される請求項７２記載の全地形万能車。
【請求項７４】
該アクセス開口部が、全地形万能車の前方端部の方向に向けられ、所定の出口開口部が、該下側フェンダーパネルにより少なくとも部分的に規定される請求項７３記載の全地形万能車。
【請求項７５】
該溝部が、全地形万能車の前方端部から全地形万能車の後方端部へ全体として長手方向に方向付けられた方向に延びる請求項７４記載の全地形万能車。
【請求項７６】
該第１の内側端部が該第２の内側端部に接触し、ファスナーが、該第１の内側端部、該第２の内側端部及びフレームの各々における位置合わせされた孔部内に通過し、また、該上側フェンダーパネルが該取付け位置にて下側フェンダーパネルに接触する請求項７２記載の全地形万能車。
【請求項７７】
該下側フェンダーパネル及び上側フェンダーパネルの各々が、プラスチックを有するものである請求項７２記載の全地形万能車。
【請求項７８】
該下側フェンダーパネルが、該第１の内側端部に隣接して下側フェンダーパネルの下方に付属する脚部を一体的に有し、該脚部が、該フレームを横方向に押圧するように構成される請求項７２記載の全地形万能車。
【請求項７９】
該脚部が、該フレームに接触するように構成されるラバーバンパーを有するものである請求項７８記載の全地形万能車。
【請求項８０】
該取付け位置が、該第２の外側端部に隣接し、該第１の外側端部が、該フェンダーアセンブリの外周部を規定する請求項７２に記載の全地形万能車。
【請求項８１】
該第１の上面の一部が、装飾的なボディ面を規定し、該第２の上面の少なくとも一部が、装飾的なボディ面を規定する請求項７２記載の全地形万能車。
【請求項８２】
該下側フェンダーパネル及び上側フェンダーパネルの少なくとも一方が、全地形万能車の左側から全地形万能車の右側へ連続的に延びる請求項７２記載の全地形万能車。
【請求項８３】
フレーム；
該フレームに対して支持されるホイール；並びに
第１の内側端部から第１の外側端部へ延びる下側フェンダーパネル、及び、第２の内側端部から第２の外側端部へ延びる上側フェンダーパネルであって、該上側フェンダーパネルが、第１の外側端部及び第２の外側端部の少なくとも一方に隣接した取付け位置で下側フェンダーパネルに取り付けられる上側フェンダーパネルを備えたフェンダーアセンブリ
を有する全地形万能車であって、
該下側フェンダーパネル及び上側フェンダーパネルの各々が、少なくとも部分的にホイールにわたり延び、該上側フェンダーパネルの一部が、間隔をおかれた関係で、下側フェンダーパネルの一部と共同してアクセス開口部及び溝部の両方を規定し、該溝部が、少なくとも部分的にホイールの上に位置し、第１の内側端部と取付け位置との間に配置され、該溝部が、アクセス開口部から所定の出口開口部への所定の通路に沿った流体の通過を容易にするように構成され、該下側フェンダーパネル及び上側フェンダーパネルが、フレームに対する取付け位置を支持するために共同して垂直たわみに対する取付け位置の抵抗を促進する全地形万能車。
【請求項８４】
該溝部が、全地形万能車の前方端部から全地形万能車の後方端部へ全体として長手方向に方向付けられた方向に延びる請求項８３記載の全地形万能車。
【請求項８５】
該アクセス開口部が、全地形万能車の前方端部の方向に向けられ、該所定の出口開口部が、該下側フェンダーパネルにより少なくとも部分的に規定される請求項８４記載の全地形万能車。
【請求項８６】
該取付け位置が、該第２の外側端部に隣接し、該第１の外側端部が、該フェンダーアセンブリの外周部を規定する請求項８３記載の全地形万能車。
【請求項８７】
該第１の内側端部が、該第２の内側端部に接触し、ファスナーが、該第１の内側端部、該第２の内側端部及び該フレームの各々における位置合わせされた孔部内に通過し、該上側フェンダーパネルが、該取付け位置で該下側フェンダーパネルに接触する請求項８３記載の全地形万能車。
【請求項８８】
該下側フェンダーパネル及び上側フェンダーパネルの少なくとも一方が、全地形万能車の左側から全地形万能車の右側へ連続して延びる請求項８３記載の全地形万能車。
【請求項８９】
フレーム；
該フレームに対して支持される左ホイール；
該フレームに対して支持される右ホイール；並びに
第１の内側端部から第１の外側端部へ延びる下側フェンダーパネルであって、該第１の内側端部が該フレームに取り付けられる下側フェンダーパネル、及び、第２の内側端部から第２の外側端部へ延びる上側フェンダーパネルであって、該第２の内側端部が該フレームに取り付けられ、該上側フェンダーパネルが、第１の外側端部及び第２の外側端部の少なくとも一方に隣接した取付け位置で、該下側フェンダーパネルに取り付けられる上側フェンダーパネルを備えたフェンダーアセンブリ
を有する全地形万能車であって、
該下側フェンダーパネル及び上側フェンダーパネルの各々が、少なくとも部分的に左ホイール及び右ホイールの各々にわたり延び、該下側フェンダーパネル及び上側フェンダーパネルが、取付け位置を支持するために共同して垂直たわみに対する取付け位置の抵抗を促進する全地形万能車。
【請求項９０】
該上側フェンダーパネルの一部が、間隔をおかれた関係で、下側フェンダーパネルの一部と共同して、少なくとも部分的に左ホイール及び右ホイールの一方の上に位置し、該第１の内側端部と取付け位置との間に配置される溝部を規定し、該溝部が、全地形万能車の前方端部から全地形万能車の後方端部へ全体として長手方向に方向付けられた方向に延びる請求項８９記載の全地形万能車。
【請求項９１】
該第１の内側端部が該第２の内側端部に接触し、ファスナーが、該第１の内側端部、該第２の内側端部及び該フレームの各々における位置合わせされた孔部内に通過し、該上側フェンダーパネルが、該取付け位置で該下側フェンダーパネルに接触する請求項８９記載の全地形万能車。
【請求項９２】
該取付け位置が該第２の外側端部に隣接し、該第１の外側端部が該フェンダーアセンブリの外周部を規定する請求項８９記載の全地形万能車。
【請求項９３】
該左ホイール及び該右ホイールが、リヤホイールを有し、該フェンダーアセンブリが、少なくとも部分的に該リヤホイールにわたり延びる請求項８９記載の全地形万能車。
【請求項９４】
フレーム；
該フレームに対して支持されるリヤホイール；
少なくとも部分的に該リヤホイールにわたり延びるフェンダーアセンブリ；
フットレスト；
泥よけ；並びに
第１の細長い金属ワイヤ及び第２の細長い金属ワイヤを有するステーアセンブリであって、該第１の細長い金属ワイヤ及び第２の細長い金属ワイヤの各々が、該フレーム、フェンダーアセンブリ、フットレスト及び泥よけの各々に取り付けられるステーアセンブリ
を有する全地形万能車。
【請求項９５】
該ステーアセンブリが、該泥よけとフェンダーアセンブリとの間の一貫した間隔の開きを容易にするように構成される請求項９４記載の全地形万能車。
【請求項９６】
該第１の細長い金属ワイヤ及び第２の細長い金属ワイヤの各々が、共通の位置で該フェンダーアセンブリに取り付けられ、該第１の細長い金属ワイヤ及び第２の細長い金属ワイヤの各々が、異なる位置で該フレームに取り付けられ、該第１の細長い金属ワイヤ及び第２の細長い金属ワイヤの各々が、異なる位置で該泥よけに取り付けられ、また、該第１の細長い金属ワイヤ及び第２の細長い金属ワイヤの各々が、異なる位置で該フットレストに取り付けられる請求項９４記載の全地形万能車。
【請求項９７】
該第１の細長い金属ワイヤ及び該第２の細長い金属ワイヤの少なくとも一方が、旋回クリップの使用によって該フレームに取り付けられる請求項９４記載の全地形万能車。
【請求項９８】
フレーム；
フェンダーアセンブリ；
泥よけ；並びに
該フレーム、フェンダーアセンブリ及び泥よけの各々に取り付けられる細長い金属ワイヤであって、該細長い金属ワイヤが、泥よけとフェンダーアセンブリとの間の一貫した間隔の開きを容易にするように構成される細長い金属ワイヤ
を有する全地形万能車。
【請求項９９】
該細長い金属ワイヤが、旋回クリップの使用によって該フレームに取り付けられる請求項９８記載の全地形万能車。
【請求項１００】
該細長い金属ワイヤが、該フットレストに取り付けられる請求項９８記載の全地形万能車。
【請求項１０１】
該フレームに対して支持されるリヤホイールをさらに有し、該フェンダーアセンブリが、該リヤホイールの少なくとも１つにわたり少なくとも部分的に延びる請求項９８記載の全地形万能車。
【請求項１０２】
フレーム；
フェンダーアセンブリ；
泥よけ；並びに
該フレーム、フェンダーアセンブリ及び泥よけの各々に取り付けられるステーアセンブリ
を有する全地形万能車。
【請求項１０３】
該ステーアセンブリが、該フレーム、該フェンダーアセンブリ及び該泥よけの各々に取り付けられた第１の細長い金属ワイヤを有する請求項１０２記載の全地形万能車。
【請求項１０４】
該ステーアセンブリが、該フレーム、フェンダーアセンブリ及び泥よけの各々に取り付けられた第２の細長い金属ワイヤをさらに有する請求項１０３記載の全地形万能車。
【請求項１０５】
該第１の細長い金属ワイヤ及び第２の細長い金属ワイヤの各々が、異なる位置で該フレームに取り付けられる請求項１０４記載の全地形万能車。
【請求項１０６】
該第１の細長い金属ワイヤ及び第２の細長い金属ワイヤの少なくとも一方が、旋回クリップの使用によって該フレームに取り付けられる請求項１０４記載の全地形万能車。
【請求項１０７】
該第１の細長い金属ワイヤ及び該第２の細長い金属ワイヤの各々が、共通の位置で該フェンダーアセンブリに取り付けられる請求項１０４記載の全地形万能車。
【請求項１０８】
該第１の細長い金属ワイヤ及び第２の細長い金属ワイヤの各々が、異なる位置で該泥よけに取り付けられる請求項１０４記載の全地形万能車。
【請求項１０９】
該第１の細長い金属ワイヤ及び第２の細長い金属ワイヤの各々が、該フットレストに取り付けられる請求項１０４記載の全地形万能車。
【請求項１１０】
該ステーアセンブリが、該泥よけと該フェンダーアセンブリとの間の一貫した間隔の開きを容易にするように構成される請求項１０２記載の全地形万能車。
【請求項１１１】
該フレームに対して支持されるリヤホイールをさらに有し、該フェンダーアセンブリが、該リヤホイールの少なくとも１つにわたり少なくとも部分的に延びる請求項１０２記載の全地形万能車。
【請求項１１２】
フレーム；
該フレームに対して支持されるホイール；
少なくとも部分的に該ホイールにわたり延び、内側エッジ部を有するフェンダーアセンブリ；及び
圧縮面を有し、該フレームへの選択的な取付けのために構成されるシートであって、該圧縮面が、該フレームへのシートの取付け時に、該フェンダーアセンブリの内側エッジ部に接触し、該圧縮面と該フレームとの間に該フェンダーアセンブリの内側エッジ部を挟み込むように構成されるシート
を有する全地形万能車。
【請求項１１３】
該シートがバンパー部材を有し、該バンパー部材が該圧縮面を有する請求項１１２記載の全地形万能車。
【請求項１１４】
該バンパー部材がラバーから形成される請求項１１３記載の全地形万能車。
【請求項１１５】
該フレームへのシートの取付け時に、該圧縮面に対応する該フェンダーアセンブリの内側エッジ部の一部が、該フレームに接触するように構成される請求項１１２記載の全地形万能車。
【請求項１１６】
該フェンダーアセンブリが、上側フェンダーパネル及び下側フェンダーパネルを有し、該内側エッジ部が、該上側フェンダーパネルの上側内側エッジ部及び該下側フェンダーパネルの下側内側エッジ部を有する請求項１１５記載の全地形万能車。
【請求項１１７】
該フレームへのシートの取付け時に、該圧縮面が、該上側内側エッジ部に接触するように、また、該フレームに対する該フェンダーアセンブリの固定を容易にするために、該圧縮面とフレームとの間に、該上側内側エッジ部及び下側内側エッジ部の両方を挟み込むように構成される請求項１１６記載の全地形万能車。
【請求項１１８】
該フレームへのシートの取付け時に、該圧縮面に対応する該下側内側エッジ部の一部が、該フレームに接触するように構成される請求項１１７記載の全地形万能車。
【請求項１１９】
該フレームへのシートの取付け時に、該圧縮面に対応する該下側内側エッジ部の一部が、該圧縮面に対応する該上側内側エッジ部の一部に接触するように構成される請求項１１８記載の全地形万能車。
【請求項１２０】
フレーム；
該フレームに対して支持されるホイール；
それぞれ少なくとも部分的にホイールにわたり延びる上側フェンダーパネル及び下側フェンダーパネルを有するフェンダーアセンブリであって、該上側フェンダーパネルが上側内側エッジ部を有し、該下側フェンダーパネルが下側内側エッジ部を有し、該上側内側エッジ部が下側内側エッジ部に重なるフェンダーアセンブリ；並びに
圧縮面を有し、フレームへの選択的な取付け用に構成されるシートであって、該圧縮面が、該フレームへのシートの取付け時に、該上側内側エッジ部に接触し、該圧縮面とフレームとの間に該上側内側エッジ部及び下側内側エッジ部の両方を挟み込むように構成されるシート
を有する全地形万能車。
【請求項１２１】
該シートがバンパー部材を有し、該バンパー部材が該圧縮面を有する請求項１２０記載の全地形万能車。
【請求項１２２】
該バンパー部材が、ラバーから形成される請求項１２１記載の全地形万能車。
【請求項１２３】
該フレームへのシートの取付け時に、該圧縮面に対応する該下側内側エッジ部の一部が、該フレームに接触するように構成される請求項１２０記載の全地形万能車。
【請求項１２４】
該フレームへのシートの取付け時に、該圧縮面に対応する該下側内側エッジ部の一部が、該圧縮面に対応する該上側内側エッジ部の一部に接触するように構成される請求項１２３記載の全地形万能車。
【請求項１２５】
フレーム；
該フレームに対して支持される左ホイール；
該フレームに対して支持される右ホイール；
左上側フェンダーパネル、左下側フェンダーパネル、右上側フェンダーパネル及び、右下側フェンダーパネルを有するフェンダーアセンブリであって、該左上側フェンダーパネル及び左下側フェンダーパネルが、それぞれ少なくとも部分的に該左ホイールにわたり延び、該右上側フェンダーパネル及び右下側フェンダーパネルが、それぞれ少なくとも部分的に該右ホイールにわたり延び、該左上側フェンダーパネルが左上側内側エッジ部を有し、該左下側フェンダーパネルが左下側内側エッジ部を有し、該左上側内側エッジ部が左下側内側エッジ部に重なり、該右上側フェンダーパネルが右上側内側エッジ部を有し、該右下側フェンダーパネルが右下側内側エッジ部を有し、右上側内側エッジ部が右下側内側エッジ部に重なるフェンダーアセンブリ；並びに
左圧縮面及び右圧縮面を有し、フレームへの選択的な取付けのために構成されるシートであって、該シートが、該フレームへのシートの取付け時に、該左圧縮面が、該左圧縮面と該フレームとの間に該左上側内側エッジ部及び左下側内側エッジ部の両方を挟み込むべく該左上側内側エッジ部に接触するように、また、該右圧縮面が、該右圧縮面と該フレームとの間に該右上側内側エッジ部及び右下側内側エッジ部の両方を挟み込むべく該右上側内側エッジ部に接触するように構成されるシート
を有する全地形万能車。
【請求項１２６】
該シートが左バンパー部材及び右バンパー部材を有し、該左バンパー部材が該左圧縮面を有し、該右バンパー部材が該右圧縮面を有するものである請求項１２５記載の全地形万能車。
【請求項１２７】
該左バンパー部材及び右バンパー部材の各々が、ラバーから形成される請求項１２６記載の全地形万能車。
【請求項１２８】
該フレームへのシートの取付け時に、該左圧縮面に対応する該左下側内側エッジ部の一部が該フレームに接触するように構成され、該右圧縮面に対応する該右下側内側エッジ部の一部が該フレームに接触するように構成される請求項１２５記載の全地形万能車。
【請求項１２９】
該フレームへのシートの取付け時に、該左圧縮面に対応する該左下側内側エッジ部の一部が該左圧縮面に対応する左上側内側エッジ部の一部に接触するように構成され、該右圧縮面に対応する該右下側内側エッジ部の一部が該右圧縮面に対応する右上側内側エッジ部の一部に接触するように構成される請求項１２８記載の全地形万能車。
【請求項１３０】
前方端部から後方端部へ延びるフレームであって、該前方端部に隣接して配置された前方取付け構造、該後方端部に隣接して配置された後方取付け構造、及び、該前方端部と後方端部との間の中間付近に配置された中間取付け構造を有するフレーム；
前方取付け構造及び中間取付け構造の各々に取り付けられ、少なくとも部分的にフロントホイールにわたり延びるフロントフェンダーアセンブリ；
該中間取付け構造及び後方取付け構造の各々に取り付けられ、少なくとも部分的にリヤホイールにわたり延びるリヤフェンダーアセンブリ；並びに
該フロントフェンダーアセンブリ、リヤフェンダーアセンブリ、及び、中間取付け構造の各々により規定される第１の位置合わせ孔部内に挿入される中間ファスナー
を有する全地形万能車。
【請求項１３１】
該フロントフェンダーアセンブリ及びリヤフェンダーアセンブリにより規定される該第１の位置合わせ孔部が、実質的に円形である請求項１３０記載の全地形万能車。
【請求項１３２】
該中間ファスナーがネジ付きボルトを有し、該中間取付け構造がネジ付き孔部を有する請求項１３１記載の全地形万能車。
【請求項１３３】
該フロントフェンダーアセンブリ及びリヤフェンダーアセンブリの一方により規定される第１の孔部を通じて、その後、該前方取付け構造及び後方取付け構造の一方により規定される第１のネジ付き孔部内に通過する第１のファスナーをさらに有する請求項１３２記載の全地形万能車。
【請求項１３４】
該フロントフェンダーアセンブリ及びリヤフェンダーアセンブリの他方により規定される第２の孔部を通じて、その後、該前方取付け構造及び後方取付け構造の他方により規定される第２のネジ付き孔部内に通過する第２のファスナーをさらに有する請求項１３３記載の全地形万能車。
【請求項１３５】
該第１の孔部及び第２の孔部の少なくとも一方が、細長いスロット孔部を有する請求項１３４記載の全地形万能車。
【請求項１３６】
該第１の孔部が、細長いスロット孔部を有する請求項１３３記載の全地形万能車。
【請求項１３７】
該フロントフェンダーアセンブリ及びリヤフェンダーアセンブリの一方により規定される第１の孔部を通じて、その後、該前方取付け構造及び後方取付け構造の一方により規定される第１のネジ付き孔部内に通過する第１のファスナーをさらに有する請求項１３０記載の全地形万能車。
【請求項１３８】
該フロントフェンダーアセンブリ及びリヤフェンダーアセンブリの他方により規定される第２の孔部を通じて、その後、該前方取付け構造及び後方取付け構造の他方により規定される第２のネジ付き孔部内に通過する第２のファスナーをさらに有する請求項１３７記載の全地形万能車。
【請求項１３９】
該第１の孔部及び第２の孔部の少なくとも一方が、細長いスロット孔部を有する請求項１３８記載の全地形万能車。
【請求項１４０】
該第１の孔部が、細長いスロット孔部を有する請求項１３７記載の全地形万能車。
【請求項１４１】
該フレームに取り付けられるシートをさらに有し、該中間取付け構造により規定される該第１の位置合わせ孔部が、該シートの最下位部の垂直下方の位置に配置される請求項１３０記載の全地形万能車。
【請求項１４２】
該中間取付け構造により規定される第１の位置合わせ孔部が、該シートの最前部の水平前方の位置に配置される請求項１３０に記載の全地形万能車。
【請求項１４３】
該中間ファスナーが、該フロントフェンダーアセンブリ及び該リヤフェンダーアセンブリの少なくとも一方における許容範囲の変動性が、該前方取付け構造及び後方取付け構造の少なくとも一方への取付けにおける変動をもたらすように、該フロントフェンダーアセンブリと該リヤフェンダーアセンブリとの間の一貫したインターフェースを容易にすべく基準を規定する請求項１３０記載の全地形万能車。
【請求項１４４】
該フロントフェンダーアセンブリが、一対のフロントホイールにわたり少なくとも部分的に延び、該リヤフェンダーアセンブリが、一対のリヤホイールにわたり少なくとも部分的に延びる請求項１３０記載の全地形万能車。
【請求項１４５】
該中間ファスナーが、全地形万能車の両側に対応して配置される左中間ファスナー及び右中間ファスナーを有し、該左中間ファスナーが、該フロントフェンダーアセンブリ、該リヤフェンダーアセンブリ及び該中間取付け構造の各々により規定される各第１の位置合わせ孔部内に挿入され、また、該右中間ファスナーが、該フロントフェンダーアセンブリ、リヤフェンダーアセンブリ及び中間取付け構造の各々により規定される各第２の位置合わせ孔部内に挿入される請求項１４４記載の全地形万能車。
【請求項１４６】
全地形万能車を組み立てる方法であって、
前方端部から後方端部へ延びるフレームを提供する工程であって、該フレームが、該前方端部に隣接して配置された前方取付け構造、該後方端部に隣接して配置された後方取付け構造、及び、該前方端部と後方端部との間の中間付近に配置された中間取付け構造を有する該工程；
フロントフェンダーアセンブリを、該フロントフェンダーアセンブリが少なくとも部分的にフロントホイールにわたり延びるよう構成されるように、前方取付け構造及び中間取付け構造の各々に取り付ける工程；
リヤフェンダーアセンブリを、該リヤフェンダーアセンブリが少なくとも部分的にリヤホイールにわたり延びるよう構成されるように、中間取付け構造及び後方取付け構造の各々に取り付ける工程；並びに
中間ファスナーを、該フロントフェンダーアセンブリ、該リヤフェンダーアセンブリ及び中間取付け構造の各々により規定される第１の位置合わせ孔部内に挿入する工程
を有する方法。
【請求項１４７】
第１のファスナーを、該フロントフェンダーアセンブリ及び該リヤフェンダーアセンブリの一方により規定される第１の孔部を通じて挿入し、その後、該前方取付け構造及び該後方取付け構造の一方により規定される第１のネジ付き孔部内に挿入する工程をさらに有する請求項１４６記載の方法。
【請求項１４８】
第２のファスナーを、該フロントフェンダーアセンブリ及び該リヤフェンダーアセンブリの他方により規定される第２の孔部を通じて挿入し、その後、該前方取付け構造及び該後方取付け構造の他方により規定される第２のネジ付き孔部内に挿入する工程をさらに有する請求項１４７記載の方法。
【請求項１４９】
ネジ付き孔部を規定するフレーム；
第１の孔部を規定する第１のボディパネル；
第２の孔部を規定する第２のボディパネル；
長手方向に延びるスリーブ穴を規定するスリーブであって、第１のボディパネルにおける第１の孔部内に延びるスリーブ；
グロメット外面を有し、第１の端部から第２の端部へ長手方向に延びるグロメット穴を規定するグロメットであって、該グロメット穴が該スリーブを取り囲み、該グロメット外面が環状溝部を規定し、該環状溝部が、環状溝部の両側に配置される長手方向に隣接するグロメットの環状部に比べて、縮小された直径を有し、長手方向に隣接する環状部の一方が該第１の端部を規定し、長手方向に隣接する環状部の他方が該第２の端部を規定し、該第２の孔部が、該第２のボディパネルの一部が環状溝部内に保持されるように環状溝部を取り囲み、該第１の端部が、該第１の孔部に隣接する該第１のボディパネルに接触するグロメット；及び
該第１の孔部及び該スリーブ穴を通じて、該フレームにおけるネジ付きの孔部内に延びるファスナーであって、該第１のボディパネルとフレームとの間に該グロメットを押し込むように構成されるファスナー
を有する車両。
【請求項１５０】
該第１の孔部に隣接した該第１のボディパネルの部分が、該第２のボディパネル及び該フレームの各々から間隔をおかれている請求項１４９記載の車両。
【請求項１５１】
該第２の孔部に隣接した第２のボディパネルの部分が、該フレームから間隔をおかれている請求項１５０記載の車両。
【請求項１５２】
該スリーブが、該フレームに接触する径方向に延ばされた部分を有し、該グロメットの第２の端部が、該グロメットが該第１のボディパネルと該スリーブの径方向に延ばされた部分との間に圧縮されるように、該スリーブの径方向に延ばされた部分に接触する請求項１４９記載の車両。
【請求項１５３】
該グロメットが、弾性材料を有するものである請求項１４９記載の車両。
【請求項１５４】
該グロメットが、ラバーを有するものである請求項１５３記載の車両。
【請求項１５５】
該スリーブが、金属を有するものである請求項１５３記載の車両。
【請求項１５６】
該スリーブが、ステンレス鋼を有するものである請求項１５５記載の車両。
【請求項１５７】
該ファスナーが、ヘッド及びネジ付き端部を備えたボルトを有し、該ネジ付き端部が、該フレームにおける該ネジ付き孔部内に挿入され、該ヘッドが、該第１のボディパネル及び該スリーブに接触する請求項１４９記載の車両。
【請求項１５８】
該フレームが、前方端部から後方端部へ延び、該フレームが、該前方端部と後方端部との間の中間付近に該ネジ付き孔部を規定する請求項１４９記載の車両。
【請求項１５９】
該フレームに取り付けられたシートをさらに有し、該フレームにおけるネジ付き孔部が、該シートの最下位部の垂直下方及び該シートの最前部の水平前方の位置に配置される請求項１５８記載の車両。
【請求項１６０】
該第１のボディパネル及び第２のボディパネルの一方が、フロントフェンダーパネルを有し、該第１のボディパネル及び第２のボディパネルの他方が、リヤフェンダーパネルを有する請求項１４９記載の車両。
【請求項１６１】
燃料タンクカバーをさらに有し、該燃料タンクカバーが、該ファスナーと該第１のボディパネル及び第２のボディパネルの少なくとも一方とによって該フレームに間接的に取り付けられるように、該ファスナーに隣接して配置される第２のファスナーにより、該第１のボディパネル及び該第２のボディパネルの少なくとも一方に取り付けられる請求項１６０に記載の車両。
【請求項１６２】
全地形万能車を有するものである請求項１６０記載の車両。
【請求項１６３】
ネジ付き孔部を規定するフレーム；
第１の孔部を規定する第１のボディパネル；
第２の孔部を規定する第２のボディパネルであって、該第１のボディパネルが、該第１の孔部が第２の孔部と整列するように、少なくとも部分的に第２のボディパネルに重なる第２のボディパネル；
該フレームに対する第１のボディパネル及び第２のボディパネルの取付けを容易にすべく、該第１の孔部、第２の孔部、及びネジ付き孔部の各々内に延びるファスナー；並びに
該ファスナーの一部を取り囲むグロメットであって、該第１のボディパネルが、該ファスナーに隣接する第２のボディパネルに接触することを防止すべく、該第１のボディパネルと第２のボディパネルとの間に配置され、また、第２のボディパネルが、該ファスナーに隣接するフレームに接触することを防止すべく、該第２のボディパネルとフレームとの間に配置されるグロメット
を有する車両。
【請求項１６４】
該ファスナーの一部を取り囲み、該グロメットとファスナーとの間に配置されるスリーブをさらに有し、該スリーブが該フレームに接触する請求項１６３記載の車両。
【請求項１６５】
該ファスナーが、ヘッドを備えたボルトを有し、該スリーブの一部が該第１の孔部内に延び、また、該ヘッドが該第１のボディパネル及びスリーブの各々に接触する請求項１６４記載の車両。
【請求項１６６】
該スリーブが、該フレーム及びグロメットに接触する径方向に延ばされた部分を有する請求項１６５記載の車両。
【請求項１６７】
該第１のボディパネル及び第２のボディパネルの一方が、フロントフェンダーパネルを有し、該第１のボディパネル及び第２のボディパネルの他方が、リヤフェンダーパネルを有する請求項１６５記載の車両。
【請求項１６８】
燃料タンクカバーをさらに有し、該燃料タンクカバーが、該ファスナーと該第１のボディパネル及び第２のボディパネルの少なくとも一方とによって該フレームに間接的に取り付けられるように、該ファスナーに隣接して配置される第２のファスナーにより該第１のボディパネル及び該第２のボディパネルの少なくとも一方に取り付けられる請求項１６７記載の車両。
【請求項１６９】
全地形万能車を有するものである請求項１６３記載の車両。
【請求項１７０】
車両を組み立てる方法であって、
第１のボディパネルにおける第１の孔部が、第２のボディパネルにおける第２の孔部に整列するように、各第１及び第２のボディパネルを重ねる工程；
グロメットを、該第１の孔部に隣接する第１のボディパネルの一部と該第２の孔部に隣接する第２のボディパネルの一部との間に、また、付加的に、フレームと該第２の孔部に隣接する第２のボディパネルの一部との間に配置する工程であって、該グロメットがグロメット穴を規定する該工程；
スリーブを該グロメット穴を通じて挿入する工程であって、該スリーブが、該第１の孔部及び第２の孔部に整列するスリーブ穴を規定する該工程；及び
ファスナーを、該フレームに対する第１のボディパネル及び第２のボディパネルの取付けを容易にするために、該第１の孔部、スリーブ穴、及び、フレームにおけるネジ付き孔部内に挿入する工程
を有する方法。
【請求項１７１】
フレーム；
ボディパネル；
該ボディパネルに取り付けられ、長手部分を有する細長い金属ワイヤ；及び
第１の端部から第２の端部へ延び、該第１の端部が第２の端部に重なるように該細長い金属ワイヤの長手部分を少なくとも部分的に取り囲むリボンであって、該第１の端部及び第２の端部が、該細長い金属ワイヤが該リボンにより該フレームに対して可動に取り付けられるように、該フレームに取り付けられるリボン
を有する全地形万能車。
【請求項１７２】
ファスナーをさらに有し、該リボンの第１の端部が第１の孔部を規定し、該リボンの第２の端部が第２の孔部を規定し、該フレームが第３の孔部を規定し、該ファスナーが、該フレームに対する旋回クリップの取付けを容易にすべく、該第１の孔部及び第２の孔部の各々を通じて該第３の孔部内に通過する請求項１７１記載の全地形万能車。
【請求項１７３】
該第３の孔部が、ネジ付き孔部を有するものである請求項１７２記載の全地形万能車。
【請求項１７４】
該ファスナーが、ボルトを有するものである請求項１７３記載の全地形万能車。
【請求項１７５】
該リボンが、金属から形成されるものである請求項１７３記載の全地形万能車。
【請求項１７６】
該ボディパネルが、フェンダーアセンブリを有するものである請求項１７３記載の全地形万能車。
【請求項１７７】
泥よけをさらに有し、該細長い金属ワイヤが該泥よけに付加的に取り付けられ、該フレームに対して該泥よけを少なくとも部分的に支持するように構成される請求項１７６記載の全地形万能車。
【請求項１７８】
該細長い金属ワイヤが、細長い金属ワイヤの長手部分の両側でフェンダーアセンブリ及び泥よけに取り付けられる請求項１７７記載の全地形万能車。
【請求項１７９】
フレーム；
フェンダーアセンブリ；
泥よけ；
長手部分を有し、該長手部分の両側で該フェンダーアセンブリ及び泥よけに取り付けられる細長い金属ワイヤ；及び
保持部及び取付け部を有する旋回クリップであって、該保持部が、該細長い金属ワイヤの長手部分を少なくとも部分的に取り囲み、該取付け部が、該細長い金属ワイヤがフレームに対して可動に取り付けられるように、該フレームに取り付けられる旋回クリップ
を有する全地形万能車。
【請求項１８０】
該旋回クリップが、第１の端部から第２の端部へ延びるリボンを有し、該保持部が、該第１の端部と第２の端部との間で該リボンに沿った中間付近に配置され、該リボンが、該第１の端部が第２の端部に重なるように構成される請求項１７９記載の全地形万能車。
【請求項１８１】
ファスナーをさらに有し、該リボンの第１の端部が、第１の孔部を規定し、該リボンの第２の端部が、第２の孔部を規定し、該フレームが、第３の孔部を規定し、該ファスナーが、該フレームに対する旋回クリップの取付けを容易にすべく、該第１の孔部及び第２の孔部の各々を通じて該第３の孔部内に通過する請求項１８０記載の全地形万能車。
【請求項１８２】
該リボンが、金属から形成されるものである請求項１８１記載の全地形万能車。
【請求項１８３】
該ファスナーが、ボルトを有するものである請求項１８１記載の全地形万能車。
【請求項１８４】
全地形万能車のフレームへボディパネルを取り付ける方法であって、
ボディパネルに細長い金属ワイヤを取り付ける工程；
リボンを該細長い金属ワイヤの長手部分のまわりに少なくとも部分的に巻き付ける工程；
該リボンの各端部における各孔部を位置合わせする工程；及び
ファスナーを、全地形万能車のフレームに対する該細長い金属ワイヤの可動の取付けを容易にすべく、該リボンにおける各孔部を通じて全地形万能車のフレームに設けられた他の孔部内に挿入する工程
を有する方法。
【請求項１８５】
該ファスナーを挿入する工程が、全地形万能車のフレームに設けられた他の孔部内へのファスナーの捩じ込みを有する請求項１８４記載の方法。
【請求項１８６】
細長い金属ワイヤを泥よけに取り付ける工程をさらに有し、ボディパネルがフェンダーアセンブリを有するものである請求項１８４記載の方法。
【請求項１８７】
該フェンダーアセンブリ及び泥よけに細長い金属ワイヤを取り付ける工程が、細長い金属ワイヤの長手部分の両側で、フェンダーアセンブリ及び泥よけに細長い金属ワイヤを取り付ける工程を有する請求項１８６記載の方法。
【請求項１８８】
該ファスナーを挿入する工程が、全地形万能車のフレームに設けられた他の孔部内へのファスナーの捩じ込みを有する請求項１８７記載の方法。
【発明の詳細な説明】
【技術分野】
【０００１】
関連出願の参照
本発明は、２００６年７月２７日出願の米国仮出願第６０／８３３８８５号の優先権を主張するもので、参照することにより同じ出願を本明細書に含む。本発明は、また、それぞれ２００７年６月２６日出願の米国非仮出願第１１／８２１９０９号、第１１／８２１９２１号、第１１／８２１９２２号、第１１／８２１９５９号、第１１／８２１９６３号、第１１／８２１９６４号、第１１／８２１９７０号、第１１／８２１９７２号、及び、第１１／８２３０６５号の優先権を主張するもので、参照することによりこれら同じ出願のそれぞれを本明細書に含む。
【０００２】
本発明は、車両を製造する方法とともに、例えば全地形万能車（all terrain vehicles、「ＡＴＶ」）等の車両に関する。本発明は、また、例えばＡＴＶ等の車両に使用するための構成部品及び組立品に関する。
【背景技術】
【０００３】
ＡＴＶ用の従来のボディは、例えばプラスチックまたは繊維ガラスからなる材料の一体成形品から、１枚のパネルとして形成され得る。かかるＡＴＶのボディは、ホイールフェンダー、サイドパネル、ガスタンクカバー、及び、他の特徴部を含み得る。そのようなものとして、ＡＴＶボディは、サイズが極めて大きくなる可能性があり、それにより、効果的にかつ効率的に製造することが困難かつ高価になる。特に、プラスチックは、ＡＴＶ用のボディを製造する場合に、多くの場合選択される材料であるが、かかる大きな構成部品を、プラスチックから製造することは（例えば射出成形の制限によって）困難であり得る。
【０００４】
また、従来のＡＴＶ用のボディは、多くの場合単一の構成部品として形成されるため、ＡＴＶの使用の間におけるボディに対するいかなるダメージも、相当な作業とともに、高価な交換部品を要する可能性がある。その上、ＡＴＶのエンジンまたは他の構成部品の修理を行うために、ボディを取り外す必要があり、それが困難であり時間を消費する可能性がある。
【０００５】
ＡＴＶの製造者は、顧客に選択肢を提供すべく、多くの場合、任意のＡＴＶのために異なる色のボディをストックする必要がある。しかしながら、従来のＡＴＶ用のボディは比較的大きく、異なる色のストックは費用がかかり、大容量の倉庫スペースを要する可能性がある。
【０００６】
従来のＡＴＶにおけるホイールフェンダーは、典型的には、ステー構造（stay structures）の使用により、フレームに取り付けられる。例えば、図１３に示されるように、従来のＡＴＶのリヤフェンダーアセンブリ５５６は、ステー（stay）５５７の使用によって、ＡＴＶのフレーム５４１に取り付けられるリヤフェンダーパネル５６１を有する。ステー５５７は、バネ型鋼から形成され、リヤフェンダーパネル５６１の下面に従属する脚部５０３に取り付けられる。リヤフェンダーパネル５６１はまた、シート５９６により隠される取付け位置で、フレーム５４１に直接にボルト締結されるように示される。シート５９６は、ＡＴＶのオペレータを支持するために構成されている。ステー５５７は、リヤフェンダーパネル５６１の外周部５６３が、垂直たわみ（vertical deflection）に耐える助けをし、フレーム５４１に関してリヤフェンダーパネル５６１へ少なくともいくつかの剛性及び硬直性を提供する。しかしながら、ステーがリヤフェンダーパネル５６１から別個でありながら、ステー５５７の製造及び設置は時間がかかり高価である可能性がある。また、ステー５５７は審美的に魅力がなく、岩屑（debris）に関して妨げ（snagging）になる傾向があり得る。ステーの支持力がリヤフェンダーパネル５６１の脚部５０３に局限されるため、リヤフェンダーパネル５６１の脚部５０３及び／または他の部分へのダメージが、リヤフェンダーパネル５６１の外周部５６３の繰り返される垂直たわみからの応力よって生じ得る。
【０００７】
従来のＡＴＶは、また、図３３に示されるように、ステー・アセンブリ５２０の使用によって、ＡＴＶのフレームに対して支持され得る泥よけ５１２及び５１３を有する。ステー・アセンブリ５２０は、バネ型鋼から形成される細長い金属ワイヤ５２２及び５２４を有する。細長い金属ワイヤ５２２及び５２４は、ＡＴＶのフレームへ泥よけ５１２を取り付けるように構成されている。具体的には、ボルト５３０、５３２、５３４、５３６及び対応する旋回クリップ５２９、５３１、５３３及び５３５が、細長い金属ワイヤ５２２及び５２４を泥よけ５１２へ取り付けるべく提供される。細長い金属ワイヤ５２４の一端部５２５は、ＡＴＶのフレームへの端部５２５の取付けを容易にするように、ボルト５６８を受けるべく曲げられる。細長い金属ワイヤ５２４の反対側の端部は、フレーム取付け式の（frame-mounted）フットレスト（不図示）にスライド可能に係合するように構成されている。細長い金属ワイヤ５２２の一端部５４２は、フットレストに対する端部５４２の取付けを容易にするように、ボルト５４３を受けるべく曲げられる。細長い金属ワイヤ５２２の反対側の端部５４０は、ボルト５３２及び旋回クリップ５３１の使用によって泥よけ５１２に取付け可能である。細長い金属ワイヤ、ボルト及び旋回クリップの同様の構成が、ＡＴＶのフレームへの泥よけ５１３の取付けに関して示される。別の細長い金属ワイヤ５２６がステー・アセンブリ５２０から別個であり、各端部５２７と５２８との間に延びる。端部５２７は、左リヤフェンダーパネル５５８の下側端部に付随し、一方、端部５２８は、右リヤフェンダーパネル５５９の下側端部に付随する。細長い金属ワイヤ５２６はまた、ブラケット５３８及び５３９の使用によって、ＡＴＶのシートに取り付けられる。図３３では、細長い金属ワイヤの構成が、複雑で、費用がかかり、不格好で、また、設置するのに時間がかかることが見てとられる。
【発明の概要】
【発明が解決しようとする課題】
【０００８】
従来のＡＴＶは、多くの場合、オペレータのシートがまずフェンダー・アセンブリに取り付けられ、続いて、フェンダー・アセンブリがＡＴＶのフレームに取り付けられるようにして製造される。したがって、ＡＴＶのフレームに対するフェンダー・アセンブリの取付けは、複雑化され、時間がかかる可能性があり、ＡＴＶのシート及び／または他の部分の下にあるＡＴＶの構成部品へのアクセスが困難であり得る。
【課題を解決するための手段】
【０００９】
一実施形態によれば、全地形万能車は、フレーム、第１のホイール、第２のホイール、第１のフェンダーパネル及び第２のフェンダーパネルを有する。第１のホイール及び第２のホイールはそれぞれフレームに対して支持される。第１のフェンダーパネルは、フレームに取り付けられ、少なくとも部分的に第１のホイール及び第２のホイールにわたり延びている。第２のフェンダーパネルは、第１のフェンダーパネルを少なくとも部分的に覆い、少なくとも部分的に第１のホイール及び第２のホイールの各々にわたり延びている。
【００１０】
他の実施形態によれば、全地形万能車は、フレーム、フレームに対して支持される複数のホイール、第１のパネル及び第２のパネルを有する。第１のパネルは、フレームに取り付けられ、第１の上面及び第１の底面を有する。第１の上面の一部は、全地形万能車用の装飾的なボディ面を提供する。第１のパネルは、全地形万能車の左側から全地形万能車の右側へ連続的に延び、ホイールの少なくとも２つにわたり延びる。第１の底面は、前記ホイールの少なくとも２つにより投げ出される岩屑からの接触を受けるべく配置される。第２のパネルは、第１のパネルに取り外し可能に取り付けられ、第２の上面及び第２の底面を有する。第２の上面の少なくとも一部は、全地形万能車用の装飾的なボディ面を提供する。第２の底面の一部は、少なくとも第１の上面の一部に隣接している。第２の底面の他の部分は、ホイールの少なくとも１つにより投げ出される岩屑からの接触を受けるべく配置される。
【００１１】
さらに他の実施形態によれば、全地形万能車が、フレーム、フレームに対して支持される複数のホイール、第１のフェンダーパネル及び第２のフェンダーパネルを有する。第１のフェンダーパネルは、フレームに取り付けられ、第１の上面及び第１の底面を有する。第１の底面は、ホイールの少なくとも１つにより投げ出される岩屑からの接触を受けるべく配置される。第２のフェンダーパネルが第１のパネルに対して取り付けられ、第２の上面及び第２の底面を有する。第２の底面の一部は、第１の上面の少なくとも一部に隣接している。第２の底面の他の部分は、前記ホイールの少なくとも１つにより投げ出される岩屑からの接触を受けるべく配置される。
【００１２】
さらに別の実施形態によれば、パネルアセンブリが、第１のパネル、Ｔナット、第２のパネル及びボルトを有する。第１のパネルは孔部（aperture）を規定する。Ｔナットは、ベース部及びネック部を有する。ネック部は、ネジ付き孔部を規定する。第２のパネルは、第２のパネルを通じて延びる開口部（opening）を規定するポケットを有する。ポケットは、スナップ式構成（snap-fit arrangement）でＴナットのベース部を受けるように構成される。それに伴い、Ｔナットのネック部が開口部内に延びる。ボルトは、第２のパネルへの第１のパネルの取付けを容易にするために、第１のパネルにおける孔部内とＴナットにおけるネジ付き孔部内とへの挿入用に構成される。
【００１３】
さらに別の実施形態によれば、パネルがポケットを有する。ポケットは、パネルを通じて延びる開口部を規定する。ポケットは、スナップ式構成でＴナットのベース部を受けるように構成される。それに伴い、Ｔナットのネック部が開口部内に延びる。
【００１４】
さらに別の実施形態によれば、車両が、第１のボディパネル、Ｔナット、第２のボディパネル及びボルトを有する。第１のボディパネルは、孔部を規定する。Ｔナットは、ベース部及びネック部を有する。ネック部は、ネジ付き孔部を規定する。第２のボディパネルは、ポケットを有する。ポケットは、第２のボディパネルを通じて延びる開口部を規定する。ポケットは、スナップ式構成でＴナットのベース部を受けるように構成される。それに伴い、Ｔナットのネック部が開口部内に延びる。ボルトは、第２のボディパネルへの第１のボディパネルの取付けを容易にするために、第１のボディパネルにおける孔部内とＴナットにおけるネジ付き孔部内とへの挿入用に構成される。
【００１５】
他の実施形態によれば、全地形万能車が、第１のプラスチックフェンダーパネル、Ｔナット、第２のプラスチックフェンダーパネル及びボルトを有する。第１のプラスチックフェンダーパネルは孔部を規定する。Ｔナットはベース部及びネック部を有する。ネック部は、ネジ付き孔部を規定する。第２のプラスチックフェンダーパネルは、ポケットを有する。ポケットは、第２のボディパネルを通じて延びる開口部を規定する。ポケットは、スナップ式構成でＴナットのベース部を受けるように構成される。それに伴い、Ｔナットのネック部が開口部内に延びる。ボルトは、第２のボディパネルへの第１のボディパネルの取付けを容易にするために、第１のボディパネルにおける孔部内とＴナットにおけるネジ付き孔部内とへの挿入用に構成される。
【００１６】
さらに別の実施形態によれば、車両を製造する方法が、少なくとも部分的に重なる構成で、第１及び第２のボディパネルを提供する工程を有する。第１のボディパネルは、孔部を規定し、第２のボディパネルは、ポケットを規定し、また、ポケットは、第２のパネルを通じて延びる開口部を規定する。Ｔナットは、スナップ式構成でポケット内に挿入され、それに伴い、Ｔナットのネック部が、第２のボディパネルにおける開口部内に延びる。第１のボディパネルは、第１のボディパネルにおける孔部内とＴナットのネック部におけるネジ付き孔部内とにボルトを挿入することにより、第２のボディパネルに取り付けられる。
【００１７】
さらに別の実施形態によれば、全地形万能車が、フレーム、フレームに対して支持されるホイール、及びフェンダーアセンブリを有する。フェンダーアセンブリは、下側フェンダーパネル及び上側フェンダーパネルを有する。上側フェンダーパネルは、下側フェンダーパネルに少なくとも部分的に重なる。上側フェンダーパネルの一部は、間隔をおかれた関係で、下側フェンダーパネルの一部と共同し、アクセス開口部及び溝部（channel）の両方を規定する。溝部は、少なくとも部分的にホイールの上に位置し、アクセス開口部から所定の出口開口部（egress opening）への所定の通路に沿った流体の通過を容易にするように構成される。
【００１８】
さらに別の実施形態によれば、フェンダーアセンブリが、全地形万能車用に提供される。フェンダーアセンブリは、下側フェンダーパネル及び上側フェンダーパネルを有する。上側フェンダーパネルは、上側フェンダーパネルの一部が、間隔をおかれた関係で、下側フェンダーパネルの一部と共同し、アクセス開口部及び溝部の両方を規定するように、部分的に重なる関係での下側フェンダーパネルへの取付け用に構成される。溝部は、アクセス開口部から所定の出口開口部への所定の通路に沿った流体の通過を容易にするように構成される。
【００１９】
またさらに別の実施形態によれば、全地形万能車が、フレーム、フレームに対して支持される左ホイール、フレームに対して支持される右ホイール、及びフェンダーアセンブリを有する。フェンダーアセンブリは、下側フェンダーパネル及び上側フェンダーパネルを有する。上側フェンダーパネルは、下側フェンダーパネルに少なくとも部分的に重なる。上側フェンダーパネルの左部分は、間隔をおかれた関係で、下側フェンダーパネルの左部分と共同し、左アクセス開口部及び左溝部の両方を規定する。左溝部は、少なくとも部分的に左ホイールの上に位置し、左アクセス開口部から所定の出口開口部への左の所定の通路に沿った流体の通過を容易にするように構成される。上側フェンダーパネルの右部分は、間隔をおかれた関係で、下側フェンダーパネルの右部分と共同し、右アクセス開口部及び右溝部の両方を規定する。右溝部は、少なくとも部分的に右ホイールの上に位置し、右アクセス開口部から所定の出口開口部への右の所定の通路に沿った流体の通過を容易にするように構成される。
【００２０】
別の実施形態によれば、全地形万能車が、フレーム、フレームに対して支持されるホイール、及びフェンダーアセンブリを有する。フェンダーアセンブリは、下側フェンダーパネル及び上側フェンダーパネルを有する。下側フェンダーパネルは、第１の上面及び第１の底面を有し、第１の内側端部から第１の外側端部へ延びる。第１の内側端部は、フレームに取り付けられる。第１の底面は、ホイールにより投げ出される岩屑からの接触を受けるべく配置される。上側フェンダーパネルは、第２の上面及び第２の底面を有し、第２の内側端部から第２の外側端部へ延びる。第２の内側端部は、フレームに取り付けられる。上側フェンダーパネルは、第１の外側端部及び第２の外側端部の少なくとも一方に隣接した取付け位置で、下側フェンダーパネルに取り付けられる。第２の底面は、ホイールから投げ出される岩屑からの接触を受けるべく配置される。下側フェンダーパネル及び上側フェンダーパネルの各々は、少なくとも部分的にホイールにわたり延びる。下側フェンダーパネル及び上側フェンダーパネルは共同して、垂直たわみに対する取付け位置の抵抗を促進する。
【００２１】
さらに別の実施形態によれば、全地形万能車が、フレーム、フレームに対して支持されるホイール、及びフェンダーアセンブリを有する。フェンダーアセンブリは、下側フェンダーパネル及び上側フェンダーパネルを有する。下側フェンダーパネルは、第１の内側端部から第１の外側端部へ延びる。上側フェンダーパネルは、第２の内側端部から第２の外側端部へ延びる。上側フェンダーパネルは、第１の外側端部及び第２の外側端部の少なくとも一方に隣接した取付け位置で、下側フェンダーパネルに取り付けられる。下側フェンダーパネル及び上側フェンダーパネルの各々は、少なくとも部分的にホイールにわたり延びる。上側フェンダーパネルの一部は、間隔をおかれた関係で、下側フェンダーパネルの一部と共同し、アクセス開口部及び溝部の両方を規定する。溝部は、少なくとも部分的にホイールの上に位置し、第１の内側端部と取付け位置との間に配置される。溝部は、アクセス開口部から所定の出口開口部への所定の通路に沿った流体の通過を容易にするように構成される。下側フェンダーパネル及び上側フェンダーパネルは、フレームに対する取付け位置を支持するために共同し、垂直たわみに対する取付け位置の抵抗を促進する。
【００２２】
さらに別の実施形態によれば、全地形万能車が、フレーム、フレームに対して支持される左ホイール、フレームに対して支持される右ホイール、及びフェンダーアセンブリを有する。フェンダーアセンブリは、下側フェンダーパネル及び上側フェンダーパネルを有する。下側フェンダーパネルは、第１の内側端部から第１の外側端部へ延びる。第１の内側端部は、フレームに取り付けられる。上側フェンダーパネルは、第２の内側端部から第２の外側端部へ延びる。第２の内側端部は、フレームに取り付けられる。上側フェンダーパネルは、第１の外側端部及び第２の外側端部の少なくとも一方に隣接した取付け位置で、下側フェンダーパネルに取り付けられる。下側フェンダーパネル及び上側フェンダーパネルの各々は、少なくとも部分的に左ホイール及び右ホイールの各々にわたり延びる。下側フェンダーパネル及び上側フェンダーパネルは、取付け位置を支持するために共同し、垂直たわみに対する取付け位置の抵抗を促進する。
【００２３】
さらに別の実施形態によれば、全地形万能車が、フレーム、リヤホイール、フェンダーアセンブリ、フットレスト、泥よけ、及びステーアセンブリを有する。リヤホイールは、フレームに対して支持される。フェンダーアセンブリは、少なくとも部分的にリヤホイールにわたり延びる。ステーアセンブリは、第１の細長い金属ワイヤ及び第２の細長い金属ワイヤを有する。第１の細長い金属ワイヤ及び第２の細長い金属ワイヤの各々は、フレーム、フェンダーアセンブリ、フットレスト、及び、泥よけの各々に取り付けられる。
【００２４】
さらに別の実施形態によれば、全地形万能車が、フレーム、フェンダーアセンブリ、泥よけ、並びに、フレーム、フェンダーアセンブリ及び泥よけの各々に取り付けられる細長い金属ワイヤを有する。細長い金属ワイヤは、泥よけとフェンダーアセンブリとの間の一貫した間隔の開きを容易にするように構成される。
【００２５】
またさらに別の実施形態によれば、全地形万能車が、フレーム、フェンダーアセンブリ、泥よけ、並びに、フレーム、フェンダーアセンブリ及び泥よけの各々に取り付けられるステーアセンブリを有する。
【００２６】
またさらに別の実施形態によれば、全地形万能車が、フレーム、ホイール、フェンダーアセンブリ、及びシートを有する。ホイールは、フレームに対して支持される。フェンダーアセンブリは、少なくとも部分的にホイールにわたり延び、内側エッジ部を有する。シートは、圧縮面を有し、フレームへの選択的な取付けのために構成される。圧縮面は、フレームへのシートの取付け時に、フェンダーアセンブリの内側エッジ部に接触し、圧縮面とフレームとの間にフェンダーアセンブリの内側エッジ部を挟み込むように構成される。
【００２７】
さらに別の実施形態によれば、全地形万能車が、フレーム、ホイール、フェンダーアセンブリ、及びシートを有する。ホイールは、フレームに対して支持される。フェンダーアセンブリは、それぞれ少なくとも部分的にホイールにわたり延びる上側フェンダーパネル及び下側フェンダーパネルを有する。上側フェンダーパネルは、上側内側エッジ部を有する。下側フェンダーパネルは、下側内側エッジ部を有する。上側内側エッジ部は、下側内側エッジ部に重なる。シートは、圧縮面を有し、フレームへの選択的な取付けのために構成される。圧縮面は、フレームへのシートの取付け時に、上側内側エッジ部に接触し、圧縮面とフレームとの間に上側内側エッジ部及び下側内側エッジ部の両方を挟み込むように構成される。
【００２８】
他の実施形態によれば、全地形万能車が、フレーム、左ホイール、右ホイール、フェンダーアセンブリ、及びシートを有する。左ホイール及び右ホイールの各々は、フレームに対して支持される。フェンダーアセンブリは、左上側フェンダーパネル、左下側フェンダーパネル、右上側フェンダーパネル、及び、右下側フェンダーパネルを有する。左上側フェンダーパネル及び左下側フェンダーパネルは、それぞれ少なくとも部分的に左ホイールにわたり延びる。右上側フェンダーパネル及び右下側フェンダーパネルは、それぞれ少なくとも部分的に右ホイールにわたり延びる。左上側フェンダーパネルは、左上側内側エッジ部を有する。左下側フェンダーパネルは、左下側内側エッジ部を有する。左上側内側エッジ部は、左下側内側エッジ部に重なる。右上側フェンダーパネルは、右上側内側エッジ部を有する。右下側フェンダーパネルは、右下側内側エッジ部を有する。右上側内側エッジ部は、右下側内側エッジ部に重なる。シートは、左圧縮面及び右圧縮面を有し、フレームへの選択的な取付けのために構成される。シートは、フレームへのシートの取付け時に、左圧縮面が、左圧縮面とフレームとの間に左上側内側エッジ部及び左下側内側エッジ部の両方を挟み込むべく左上側内側エッジ部に接触するように、また、右圧縮面が、右圧縮面とフレームとの間に右上側内側エッジ部及び右下側内側エッジ部の両方を挟み込むべく右上側内側エッジ部に接触するように構成される。
【００２９】
さらに別の実施形態によれば、全地形万能車が、フレーム、フロントフェンダーアセンブリ、リヤフェンダーアセンブリ、及び中間ファスナー（midpoint fastener）を有する。フレームは、前方端部から後方端部へ延びる。フレームは、前方端部に隣接して配置された前方取付け構造、後方端部に隣接して配置された後方取付け構造、及び、前方端部と後方端部との間の中間付近に配置された中間取付け構造を有する。フロントフェンダーアセンブリは、前方取付け構造及び中間取付け構造の各々に取り付けられ、少なくとも部分的にフロントホイールにわたり延びる。リヤフェンダーアセンブリは、中間取付け構造及び後方取付け構造の各々に取り付けられ、少なくとも部分的にリヤホイールにわたり延びる。中間ファスナーは、フロントフェンダーアセンブリ、リヤフェンダーアセンブリ、及び、中間取付け構造の各々により規定される第１の位置合わせ孔部内に挿入される。
【００３０】
またさらに別の実施形態によれば、全地形万能車を組み立てる方法が、前方端部から後方端部へ延びるフレームを提供する工程を有する。フレームは、前方端部に隣接して配置された前方取付け構造、後方端部に隣接して配置された後方取付け構造、及び、前方端部と後方端部との間の中間付近に配置された中間取付け構造を有する。フロントフェンダーアセンブリは、フロントフェンダーアセンブリが少なくとも部分的にフロントホイールにわたり延びるよう構成されるように、前方取付け構造及び中間取付け構造の各々に取り付けられる。リヤフェンダーアセンブリは、リヤフェンダーアセンブリが少なくとも部分的にリヤホイールにわたり延びるよう構成されるように、中間取付け構造及び後方取付け構造の各々に取り付けられる。中間ファスナーは、フロントフェンダーアセンブリ、リヤフェンダーアセンブリ、及び、中間取付け構造の各々により規定される第１の位置合わせ孔部内に挿入される。
【００３１】
さらに別の実施形態によれば、車両が、フレーム、第１のボディパネル、第２のボディパネル、スリーブ、グロメット（grommet）、及びファスナーを有する。フレームは、ネジ付き孔部を規定する。第１のボディパネルは、第１の孔部を規定する。第２のボディパネルは、第２の孔部を規定する。スリーブは、長手方向に延びるスリーブ穴を規定する。スリーブは、第１のボディパネルにおける第１の孔部内に延びる。グロメットは、グロメット外面を有し、第１の端部から第２の端部へ長手方向に延びるグロメット穴を規定する。グロメット穴は、スリーブを取り囲む。グロメット外面は、環状溝部（annular channel）を規定し、環状溝部は、環状溝部の両側に配置される長手方向に隣接するグロメットの環状部に比べて、縮小された直径を有する。長手方向に隣接する環状部の一方は、第１の端部を規定し、長手方向に隣接する環状部の他方は、第２の端部を規定する。第２の孔部は、第２のボディパネルの一部が環状溝部内に保持されるように環状溝部を取り囲む。第１の端部は、第１の孔部に隣接する第１のボディパネルに接触する。ファスナーは、第１の孔部及びスリーブ穴を通じて、フレームにおけるネジ付きの孔部内に延びる。ファスナーは、第１のボディパネルとフレームとの間にグロメットを押し込むように構成される。
【００３２】
さらに別の実施形態によれば、車両が、フレーム、第１のボディパネル、第２のボディパネル、ファスナー、及びグロメットを有する。フレームは、ネジ付き孔部を規定する。第１のボディパネルは、第１の孔部を規定する。第２のボディパネルは、第２の孔部を規定する。第１のボディパネルは、第１の孔部が第２の孔部と整列するように、少なくとも部分的に第２のボディパネルに重なる。ファスナーは、フレームに対する第１のボディパネル及び第２のボディパネルの取付けを容易にすべく、第１の孔部、第２の孔部、及びネジ付き孔部の各々内に延びる。グロメットは、ファスナーの一部を取り囲む。グロメットは、第１のボディパネルが、ファスナーに隣接する第２のボディパネルに接触することを防止すべく、第１のボディパネルと第２のボディパネルとの間に配置される。グロメットは、第２のボディパネルが、ファスナーに隣接するフレームに接触することを防止すべく、第２のボディパネルとフレームとの間に配置される。
【００３３】
さらに別の実施形態によれば、車両を組み立てる方法が、第１のボディパネルにおける第１の孔部が、第２のボディパネルにおける第２の孔部に整列するように、各第１及び第２のボディパネルを重ねる工程を有する。グロメットは、第１の孔部に隣接する第１のボディパネルの一部と第２の孔部に隣接する第２のボディパネルの一部との間に配置される。グロメットは、フレームと第２の孔部に隣接する第２のボディパネルの一部との間に、付加的に配置される。グロメットは、グロメット穴を規定する。スリーブは、グロメット穴を通じて挿入される。スリーブは、第１の孔部及び第２の孔部に整列するスリーブ穴を規定する。ファスナーは、フレームに対する第１のボディパネル及び第２のボディパネルの取付けを容易にするために、第１の孔部、スリーブ穴、及びフレームにおけるネジ付き孔部内に挿入される。
【００３４】
他の実施形態によれば、全地形万能車が、フレーム、ボディパネル、細長い金属ワイヤ、及びリボンを有する。細長い金属ワイヤは、ボディパネルに取り付けられ、長手部分を有する。リボンは、第１の端部から第２の端部へ延びる。リボンは、第１の端部が第２の端部に重なるように、細長い金属ワイヤの長手部分を少なくとも部分的に取り囲む。第１の端部及び第２の端部は、細長い金属ワイヤがリボンによりフレームに対して可動に取り付けられるように、フレームに取り付けられる。
【００３５】
さらに別の実施形態によれば、全地形万能車が、フレーム、フェンダーアセンブリ、泥よけ、細長い金属ワイヤ、及び旋回クリップ（swivel clip）を有する。細長い金属ワイヤは、長手部分を有する。細長い金属ワイヤは、長手部分の両側でフェンダーアセンブリ及び泥よけに取り付けられる。旋回クリップは、保持部及び取付け部を有する。保持部分は、細長い金属ワイヤの長手部分を少なくとも部分的に取り囲む。取付け部は、細長い金属ワイヤがフレームに対して可動に取り付けられるように、フレームに取り付けられる。
【００３６】
さらに別の実施形態によれば、全地形万能車のフレームへボディパネルを取り付ける方法が、ボディパネルに細長い金属ワイヤを取り付ける工程を有する。リボンは、細長い金属ワイヤの長手部分のまわりに少なくとも部分的に巻き付けられる。リボンの各端部における各孔部が位置合わせされる。ファスナーは、全地形万能車のフレームに対する細長い金属ワイヤの可動の取付けを容易にすべく、リボンにおける各孔部を通じて全地形万能車のフレームに設けられた他の孔部内に挿入される。
【００３７】
本明細書は、本発明を詳しく指摘するとともに明確に請求する特許請求の範囲をもって結論付けられるが、同じものが、添付図面と併用される以下の説明からより良く理解されるであろうと考えられる。
【図面の簡単な説明】
【００３８】
【図１】一実施形態によるＡＴＶを示す前方斜視図である。
【図２】図１のＡＴＶを示す後方斜視図である。
【図３】図１のＡＴＶのフレーム、下側フロントフェンダーパネル及び下側リヤフェンダーパネルを示す前方斜視図である。
【図４】図３の構成部品を示す後方斜視図である。
【図５】図３及び４の構成部品と分解された関係にある、図１のＡＴＶの上側フロントフェンダーパネル及び上側リヤフェンダーパネルを示す前方斜視図である。
【図６】組み立てられた状態の、ボルトと関係した図５の構成部品を示す前方斜視図である。
【図７】図６の構成部品のいくつかを示す後方斜視図である。
【図８】フレームから離れた図３の下側フロントフェンダーパネル及び下側リヤフェンダーパネルを示す平面図である。
【図９】説明図の明瞭さのためシートが除去された、図１及び２のＡＴＶのリヤ部分を示す平面図である。
【図１０】説明図の明瞭さのためシート及び他の構成部品が除去された、図１及び２のＡＴＶのリヤ部分を示す斜視図である。
【図１１】図１及び２のＡＴＶのリヤ部分を示す下方斜視図である。
【図１２】図９中の断面線１２−１２に沿った断面図である。
【図１３】従来のＡＴＶのフェンダーアセンブリを示す断面図である。
【図１４】図９のリヤフェンダーアセンブリの一部を示す平面図である。
【図１５】図１４の他の構成部品から離れた下側リヤフェンダーパネルの一部を示す上方斜視図である。
【図１６】図１５の下側リヤフェンダーパネルの一部を示す下方斜視図である。
【図１７】Ｔナットと関係した図１５の下側リヤフェンダーパネルの一部を示す上方斜視図である。
【図１８】Ｔナット及びボルトと関係した図１６の下側リヤフェンダーパネルの一部を示す下方斜視図である。
【図１９】両方のボルトが立面図で示され、ボルトの一方が部分的に除去されるように示される、図１４中の断面線１９−１９に沿った断面図である。
【図２０】図１及び２のＡＴＶの選択された構成部品を示す側面図である。
【図２１】図２０の一部の拡大物を示す側面図である。
【図２２】フレームの一部と関係した図２０の構成部品を示す後方斜視図である。
【図２３】説明図の明瞭さのため燃料タンクカバーが取り除かれる、図２２の構成部品を示す後方斜視図である。
【図２４】ボルト及びプッシュピンが立面図で示される、図２１中の断面線２４−２４に沿った断面図である。
【図２５】ボルトが立面図で示される、図２１中の断面線２５−２５に沿った断面図である。
【図２６】ボルト及びカラー（collar）が除去されるように示される、図１０の一部の拡大物を示す斜視図である。
【図２７】図１及び２のＡＴＶから取り外されたシートの下方斜視図である。
【図２８】図１及び２のＡＴＶのリヤフェンダーアセンブリ及びフレームと関係したシートを示す側面図である。
【図２９】図１及び２のＡＴＶの選択された構成部品を示す斜視図である。
【図３０】図２９の構成部品を示す底面図である。
【図３１】図２９の一部の拡大物を示す斜視図である。
【図３２】ボルトが立面図で示される、図３１中の断面線３２−３２に沿った断面図である。
【図３３】従来のリヤフェンダーアセンブリ、泥よけ、及び、従来のＡＴＶに設けられるようないくつかの他の構成要素を示す分解斜視図である。
【図３４】ボルトが立面図でまた締め付けられていない姿勢で示される、２つの重なるパネルを含むファスナー構成の断面図である。
【図３５】ボルトが立面図でまた締め付けられた姿勢で示される、図３４の構成部品の断面図である。
【図３６】他の実施形態によるＡＴＶのフレーム、下側フロントフェンダーパネル及び下側リヤフェンダーパネルを示す前方斜視図である。
【図３６ａ】図３６の構成部品を示す後方斜視図である。
【図３７】図３６及び３６ａの構成部品と分解された関係にある、上側フロントフェンダーパネル及び上側リヤフェンダーパネルを示す前方斜視図である。
【図３８】組み立てられた状態の図３７の構成部品を示す前方斜視図である。
【図３８ａ】図３８の構成部品のいくつかを示す後方斜視図である。
【発明を実施するための形態】
【００３９】
以下、図１〜１２、１４〜３２、３４〜３６、３６ａ、３７〜３８及び３８ａの図や例に関連して、実施形態が説明される。ここでは、同様の番号が、各図を通じて同じまたは対応する要素を示し得る。いくつかの実施形態が、ＡＴＶに関して、本明細書にて説明される。ＡＴＶが、オフロード、スポーツ及び／またはドライバ及びおそらくは１人または複数の乗員による実用的な利用に適したサドルタイプの車両を有し得ることを理解されるであろう。本明細書にて提供される例の多くは、ＡＴＶに関するが、いくつかの実施形態がまた、例えば、自動車、トラック、バン、水上バイク（personal watercraft）、飛行機、オートバイ、ボート、おもちゃ、及び、建設機械等の他のタイプの車両への適用性を有し得ることを理解されるであろう。
【００４０】
例えば図１及び２に示されるもの等の一実施形態では、ＡＴＶ４０が、ＡＴＶ４０のフレーム４１に対して支持される４つのホイールを有する。具体的には、ＡＴＶ４０が、左フロントホイール４２、右フロントホイール４３、左リヤホイール４４及び右リヤホイール４５を有するように示される。しかしながら、代替的な実施形態では、ＡＴＶが、異なる数のホイールを有し得る。例えば、ＡＴＶは、計３つのホイールを有してもよく、この場合、１つのホイールがフロントホイールであり、残りの２つのホイールがリヤホイールである。他の例として、ＡＴＶが計５つのホイールを有してもよく、この場合、１つのホイールがフロントホイールであり、残りの４つのホイールがタンデム車軸形態にあるリヤホイールである。さらに別の例では、ＡＴＶが計６つのホイールを有してもよく、この場合、２つのホイールがフロントホイールであり、残りの４つのホイールがタンデム車軸形態にあるリヤホイールである。
【００４１】
ＡＴＶに設けられたホイールの数にかかわらず、ＡＴＶは、フェンダーアセンブリを有し得る。フェンダーアセンブリは、ＡＴＶの走行中に、ＡＴＶのホイールからまたＡＴＶのオペレータ及び／または乗員に岩屑が投げ出されることを防止するように構成され得る。かかる岩屑は、例えば、泥（dirt）、枝（brush）、岩（rocks）または水滴（moisture）を含み得る。一実施形態では、フェンダーアセンブリが、ＡＴＶ上に存在する各ホイールの少なくともいくつかの被覆を提供するように構成され得る。しかしながら、他の実施形態では、フェンダーアセンブリは、ＡＴＶ上に存在するいくつかのホイールの少なくともいくつかの被覆を提供するのみであり得る。例えば図１及び２における一実施形態では、ＡＴＶ４０は、フロントフェンダーアセンブリ４６及びリヤフェンダーアセンブリ５６を有するように示される。フロントフェンダーアセンブリ４６は、ＡＴＶ４０の走行中に、左及び右フロントホイール４２及び４３からまたＡＴＶ４０のオペレータ及び／または乗員に岩屑が投げ出されることを防止するよう構成されるように示される。同様に、リヤフェンダーアセンブリ５６は、ＡＴＶ４０の走行中に、左及び右リヤホイール４４及び４５からまたＡＴＶ４０のオペレータ及び／または乗員に岩屑が投げ出されることを防止するよう構成されるように示される。フェンダーアセンブリが、様々な他の適切な形態または構成のいずれかにおけるＡＴＶまたは他の車両に設けられ得ることを理解されるであろう。
【００４２】
ＡＴＶ４０のフロント及びリヤフェンダーアセンブリ４６、５６の構造が、図１〜１２及び１４〜３２を参照しながら説明されるであろう。図１〜１２をまとめて参照すれば、フロント及びリヤフェンダーアセンブリ４６、５６の各々が、少なくとも部分的に互いに重なるフェンダーパネルを含む重構造の構成を有し得ることが見てとられる。具体的には、フロントフェンダーアセンブリ４６が、ＡＴＶ４０の左及び右フロントホイール４２及び４３用のフェンダーを共に提供する下側フロントフェンダーパネル４７及び上側フロントフェンダーパネル５０を有するように示される。下側フロントフェンダーパネル４７は、左下側フロントフェンダー部４８及び右下側フロントフェンダー部４９を有するように示される。下側フロントフェンダーパネル４７は、左下側フロントフェンダー部４８が少なくとも部分的に左フロントホイール４２にわたり延びるように、また、右下側フロントフェンダー部４９が少なくとも部分的に右フロントホイール４３にわたり延びるように、フレーム４１に取り付けられ得る。下側フロントフェンダーパネル４７は、上面４８ａ及び底面４８ｂを有するように示される。左及び右下側フロントフェンダー部４８及び４９の各々と対応する上面４８ａの部分は、ＡＴＶ４０用の装飾的なボディ面を提供し得る。装飾的なボディ面が、ＡＴＶの見物者にも容易に明らかであるそれらのボディパネル部であることは十分に理解されるであろう。ＡＴＶの審美的な外観を改善するために、かかる表面を洗い、ワックスがけし、おそらくさらに磨くのはオペレータにとって一般的であろう。左及び右下側フロントフェンダー部４８及び４９の各々と対応する底面４８ｂの部分は、左フロントホイール４２及び右フロントホイール４３によりそれぞれ投げ出される岩屑からの接触を受けるべく配置されるように示される。
【００４３】
上側フロントフェンダーパネル５０は、下側フロントフェンダーパネル４７を少なくとも部分的に覆うように、また、左上側フロントフェンダー部５１及び右上側フロントフェンダー部５２を有するように示される。上側フロントフェンダーパネル５０は、左上側フロントフェンダー部５１が少なくとも部分的に左フロントホイール４２にわたり延びるように、また、右上側フロントフェンダー部５２が少なくとも部分的に右フロントホイール４３にわたり延びるように、フレーム４１及び／または下側フロントフェンダーパネル４７に取り付けられ得る。上側フロントフェンダーパネル５０は、上面５１ａ及び底面５１ｂを有するように示される。左及び右上側フロントフェンダー部５１及び５２の各々と対応する上面５１ａの少なくとも一部は、ＡＴＶ４０用の装飾的なボディ面を提供し得る。左及び右上側フロントフェンダー部５１及び５２の各々と対応する底面５１ｂの部分は、左フロントホイール４２及び右フロントホイール４３からそれぞれ投げ出される岩屑からの接触を受けるべく配置されるように示される。このように、下側及び上側フロントフェンダーパネル４７及び５０の両方が、左及び右フロントホイール４２及び４３から投げ出される岩屑からの接触をそれぞれ受けることが可能であり、また、装飾的なボディパネルとしての役割をそれぞれ果たし得ることが理解されるであろう。
【００４４】
下側及び上側フロントフェンダーパネル４７及び５０が、上側フロントフェンダーパネル５０の底面５１ｂの一部が、下側フロントフェンダーパネル４７の上面４８ａの少なくとも一部に隣接するように、ＡＴＶ４０の残りに対して取り付けられ得る。一実施形態では、上側フロントフェンダーパネル５０の底面５１ｂの少なくとも一部が、下側フロントフェンダーパネル４７の上面４８ａの少なくとも一部に接触する。また、上側フロントフェンダーパネル５０は、ＡＴＶ４０の左側からＡＴＶ４０の右側へ連続的に延びるように示される。いくつかの他の実施形態では、下側及び上側フロントフェンダーパネルの一方または両方は、ＡＴＶの左側からＡＴＶの右側へ連続的に延びてもまたは延びなくてもよい。図６に示されるように、例えば、下側フロントフェンダーパネル４７は、外周部５３まで延びることが可能であり、また、下側フロントフェンダーパネル４７の一部は、上側フロントフェンダーパネル５０の外周部５４の一部を越えて延びることが可能である。付加的にまたは代替的に、上側フロントフェンダーパネルの異なる一部が、下側フロントフェンダーパネルの外周部の一部を越えて延びてもよい。
【００４５】
一実施形態では、下側及び上側フロントフェンダーパネル４７及び５０が、同様の材料（例えばプラスチック）から形成されることが可能であり、さらに同じ色を有してもよい。他の実施形態では、下側及び上側フロントフェンダーパネル４７及び５０が、異なる材料から（例えば一方がプラスチックから、また、他方が鋼から）、及び／または、異なる色を有するために、形成され得る。上側フロントフェンダーパネル５０は、上側フロントフェンダーパネル５０を単に交換することにより、また、下側フロントフェンダーパネル４７を交換することなしに、オペレータがＡＴＶ４０の色プロファイル（color profile）を簡単に迅速に安価に変更することを可能とするために、フレーム４１及び／または下側フロントフェンダーパネル４７に取り外し可能に取り付けられ得る。加えて、本明細書に記載されるような重構造のボディパネル構成が、いくつかの構造上の利点、審美的な利点、及び、ＡＴＶ４０またはそれ以外の本明細書に記載されるもののいくつかを製造するまたは修理する際の他の利点をもたらし得ることが理解されるであろう。
【００４６】
リヤフェンダーアセンブリ５６は、ＡＴＶ４０の左及び右リヤホイール４４及び４５用のフェンダーを共に提供する下側リヤフェンダーパネル５７及び上側リヤフェンダーパネル６０を有するように示される。下側リヤフェンダーパネル５７は、左下側リヤフェンダー部５８及び右下側リヤフェンダー部５９を有するように示される。下側リヤフェンダーパネル５７は、左下側リヤフェンダー部５８が少なくとも部分的に左リヤホイール４４にわたり延びるように、また、右下側リヤフェンダー部５９が少なくとも部分的に右リヤホイール４５にわたり延びるように、フレーム４１に取り付けられ得る。下側リヤフェンダーパネル５７は、上面５８ａ及び底面５８ｂを有するように示される。左及び右下側リヤフェンダー部５８及び５９の各々と対応する上面５８ａの部分は、ＡＴＶ４０用の装飾的なボディ面を提供し得る。左及び右下側リヤフェンダー部５８及び５９の各々と対応する底面５８ｂの部分は、左リヤホイール４４及び右リヤホイール４５によりそれぞれ投げ出される岩屑からの接触を受けるべく配置されるように示される。
【００４７】
上側リヤフェンダーパネル６０は、下側リヤフェンダーパネル５７を少なくとも部分的に覆うように、また、左上側リヤフェンダー部６１及び右上側リヤフェンダー部６２を有するように示される。上側リヤフェンダーパネル６０は、左上側リヤフェンダー部６１が少なくとも部分的に左リヤホイール４４にわたり延びるように、また、右上側リヤフェンダー部６２が少なくとも部分的に右リヤホイール４５にわたり延びるように、フレーム４１及び／または下側リヤフェンダーパネル５７に取り付けられ得る。上側リヤフェンダーパネル６０は、上面６１ａ及び底面６１ｂを有するように示される。左及び右上側リヤフェンダー部６１及び６２の各々と対応する上面６１ａの少なくとも一部は、ＡＴＶ４０用の装飾的なボディ面を提供し得る。左及び右上側リヤフェンダー部６１及び６２の各々と対応する底面６１ｂの部分は、左リヤホイール４４及び右リヤホイール４５からそれぞれ投げ出される岩屑からの接触を受けるべく配置されるように示される。このように、下側及び上側リヤフェンダーパネル５７及び６０の両方が、左及び右リヤホイール４４及び４５からの岩屑からの接触をそれぞれ受けることが可能であり、また、装飾的なボディパネルとしての役割をそれぞれ果たし得ることが理解されるであろう。
【００４８】
下側及び上側リヤフェンダーパネル５７及び６０が、上側リヤフェンダーパネル６０の底面６１ｂの一部が、下側リヤフェンダーパネル５７の上面５８ａの少なくとも一部に隣接するように、ＡＴＶ４０の残りに対して取り付けられ得る。一実施形態では、上側リヤフェンダーパネル６０の底面６１ｂの少なくとも一部が、下側リヤフェンダーパネル５７の上面５８ａの少なくとも一部に接触する。また、下側及び上側リヤフェンダーパネル５７及び６０の各々は、ＡＴＶ４０の左側からＡＴＶ４０の右側へ連続的に延びるように示される。いくつかの他の実施形態では、下側及び上側リヤフェンダーパネルの一方または両方は、ＡＴＶの左側からＡＴＶの右側へ連続的に延びなくてもよい。図９及び１２に示されるように、例えば、下側リヤフェンダーパネル５７は、外周部６３まで延びることが可能であり、また、下側リヤフェンダーパネル５７の一部は、上側リヤフェンダーパネル６０の外周部６４の一部を越えて延びることが可能である。付加的にまたは代替的に、上側リヤフェンダーパネル６０の異なる一部が、下側リヤフェンダーパネル５７の外周部６３の一部を越えて延びてもよい。
【００４９】
一実施形態では、下側及び上側リヤフェンダーパネル５７及び６０が、同様の材料（例えばプラスチック）から形成されることが可能であり、さらに同じ色を有してもよい。他の実施形態では、下側及び上側リヤフェンダーパネル５７及び６０が、異なる材料から（例えば一方がプラスチックから、また、他方がスチールから）、及び／または、異なる色を有するために、形成され得る。上側リヤフェンダーパネル６０は、上側リヤフェンダーパネル６０を単に交換することにより、また、下側リヤフェンダーパネル５７を交換することなしに、オペレータがＡＴＶ４０の色プロファイルを簡単に迅速に安価に変更することを可能とするために、フレーム４１及び／または下側リヤフェンダーパネル５７に取り外し可能に取り付けられ得る。
【００５０】
フロントフェンダーアセンブリ４６は、リヤフェンダーアセンブリ５６とは別個に提供されるように示される。しかしながら、代替的な実施形態では、フロントフェンダーアセンブリの少なくとも一部が、リヤフェンダーアセンブリの少なくとも一部と一体的に（例えば共通の成形プロセスによって）提供されてもよい。例えば、１つの代替的な実施形態においては、下側フロントフェンダーパネルが、（例えば、パネルがＡＴＶの前方端部からＡＴＶの後方端部へ延び得るように）下側リヤフェンダーパネルと一体的に形成されてもよい。上側フロントフェンダーパネルは、付加的にまたは代替的に、（例えば、パネルがＡＴＶの前方端部からＡＴＶの後方端部へ延び得るように）上側リヤフェンダーパネルと一体的に形成されてもよい。しかしながら、別個のフロント及びリヤフェンダーアセンブリの提供を容易にすることにより、フェンダーアセンブリの製造可能性が、例えば、より小さい成形装置の使用を可能にすることによって、より効率的にまたより低コストにされることが理解されるであろう。また、いくつかのフェンダーパネルが、ＡＴＶの２つの各ホイールにわたり少なくとも部分的に延びるように説明される及び／または示されるものの、いくつかの状況では、１つまたは複数のフェンダーパネルが、ＡＴＶの１つのホイールのみにわたり、または、その代わりとして、ＡＴＶの３つまたはそれ以上の各ホイールにわたり、少なくとも部分的に延び得ることが理解されるであろう。
【００５１】
一実施形態による、また、フロントフェンダーアセンブリ４６及びリヤフェンダーアセンブリ５６に関して前述されるような重構造のフェンダーアセンブリは、ＡＴＶ上でフェンダーアセンブリを支持するために従来採用される細長い金属ワイヤ・ステー（例えば前述されたような図１３中の５５７）のいくつかまたはすべての必要をなくするために、十分な強度及び剛性を示し得る。ワイヤ・ステーは、扱いにくく、導入が困難であり、障害になりやすく、高価であるので、一実施形態によるフェンダーアセンブリが、いくつかまたはすべての支持用のワイヤ・ステーの必要をなくすることにより、顕著な利点をもたらし得ることが理解されるであろう。例えば、図３、５及び１２を参照すれば、左下側リヤフェンダー部５８が、内側端部５８ｃから外側端部５８ｄへ延びることが見てとられる。同様に、左上側リヤフェンダー部６１が内側端部６１ｃから外側端部６１ｄへ延びる。内側端部５８ｃ及び６１ｃの各々が、ＡＴＶ４０のフレーム４１に取り付けられるように、図１２に示される。具体的には、左下側リヤフェンダー部５８の内側端部５８ｃが、左上側リヤフェンダー部６１の内側端部６１ｃに接触するように、図１２に示され、また、ボルト１２２が、カラー（collar）１２３を通じて、内側端部５８ｃ、６１ｃ及びフレーム４１の各々における整列された孔部内に通過するように示される。しかしながら、内側端部５８ｃ及び６１ｃは、ボルト等のファスナーを含むまたは含まなくてもよい種々の適切な代替的な形態のいずれかで、ＡＴＶ４０のフレーム４１に直接にまたは間接的に取り付けられ得る。
【００５２】
一実施形態では、左下側リヤフェンダー部５８が、内側端部５８ｃに隣接して左下側リヤフェンダー部５８の下方に付属する脚部１０３を一体的に有するように、図１２に示される。脚部１０３は、図１２に示されるように、例えば、（重い物体が、リヤフェンダーアセンブリ５６上に落とされた場合など）リヤフェンダーアセンブリ５６の下方への垂直たわみから生じるフレーム４１への力を伝達するために、フレーム４１を横方向に押圧するように構成され得る。脚部１０３は、フレーム４１と接触するように構成されるラバーバンパー１０４を有するように示される。
【００５３】
左上側リヤフェンダー部６１は、取付け位置９０で、左下側リヤフェンダー部５８に取り付けられ得る。取付け位置９０が外側端部５８ｄ及び６１ｄの少なくとも一方に隣接して提供され得るものの、図１２の実施形態では、取付け位置９０が、左上側リヤフェンダー部６１の外側端部６１ｄに隣接すること、また、左下側リヤフェンダー部５８の外側端部５８ｄが、リヤフェンダーアセンブリ５６の外周部の少なくとも一部を規定することが見てとられる。代替的な実施形態では、取付け位置が、左下側リヤフェンダー部の外側端部に隣接することが可能であり、また、左上側リヤフェンダー部の外側端部が、リヤフェンダーアセンブリの外周部の少なくとも一部を規定することが可能である。
【００５４】
左上側リヤフェンダー部６１は、種々の適切な形態のいずれかで、取付け位置９０で左下側リヤフェンダー部５８に取り付けられ得る。これらの形態の１つが、図１４〜１９に関連して以下に詳細に説明される。一実施形態では、図１９に示されるように、例えば、左上側リヤフェンダー部６１が、取付け位置９０で左下側リヤフェンダー部５８に接触する。
【００５５】
しかしながら、左上側リヤフェンダー部６１が取付け位置９０にてどのように左下側リヤフェンダー部５８に取り付けられるかにかかわらず、左上側リヤフェンダー部６１及び左下側リヤフェンダー部５８が、（すなわち、図１３中の５５７等の従来の細長い金属ワイヤ・ステーなしに）垂直たわみに対する取付け位置９０及び／またはリヤフェンダーアセンブリ５６の外周部の抵抗を促進するために共同し得ることが理解されるであろう。内側端部５８ｃ、６１ｃにて、また、取付け位置９０にて、左上側リヤフェンダー部６１を左下側リヤフェンダー部５８に取り付けることにより、この間隔を橋渡しする左上側リヤフェンダー部６１及び左下側リヤフェンダー部５８の部分が、垂直負荷がリヤフェンダーアセンブリ５６の左部分に加えられるように、引張／圧縮関係（tension/compression relationship）に入ることが理解されるであろう。この引張／圧縮関係は、図１３中の５５７等の細長い金属ワイヤ・ステーの存在なしに、かかる垂直たわみから回復するための十分な復元力とともに、垂直たわみに対する抵抗を促進する。例えば、重い物体がフェンダーアセンブリ上に落ちた場合、オペレータがフェンダーアセンブリ上にもたれるまたは座る場合、過剰な積み荷がフェンダーアセンブリ上で引きずられる場合、または、車両が衝突した場合等に、フェンダーアセンブリは、垂直たわみを受けることが可能であることが理解されるであろう。
【００５６】
リヤフェンダーアセンブリ５６の右部分が、垂直たわみに対するフェンダーアセンブリの抵抗を促進すべく従来採用されるような１つまたは複数の細長い金属ワイヤ・ステーの存在を回避するために、リヤフェンダーアセンブリ５６の左部分に関して前述されたものと同様の構成で提供され得ることが理解されるであろう。具体的には、右下側リヤフェンダー部５９及び右上側リヤフェンダー部６２の各々が、各内側端部及び各外側端部を有し得る。各内側端部は、フレーム４１に取り付けられることが可能であり、また、右下側リヤフェンダー部５９及び右上側リヤフェンダー部６２が、各外側端部の少なくとも一方（例えば、図６に示されるような右上側リヤフェンダー部６２の外側端部）に隣接して配置される取付け位置９１にて共に取り付けられることが可能である。
【００５７】
その上、フロントフェンダーアセンブリ４６が、フェンダーアセンブリの垂直たわみに抵抗するために従来採用されるような１つまたは複数の細長い金属ワイヤ・ステーの存在を回避するために、リヤフェンダーアセンブリ５６と同様に構成され得ることが理解されるであろう。例えば、左下側フロントフェンダー部４８及び左上側フロントフェンダー部５１の各々は、各内側端部４８ｃ、５１ｃ及び各外側端部４８ｄ、５１ｄを有し得る。各内側端部４８ｃ、５１ｃは、内側端部５８ｃ、６１ｃに関して前述されたようにフレーム４１に取り付けられ得る。左下側フロントフェンダー部４８及び左上側フロントフェンダー部５１は、左上側フロントフェンダー部５１の外側端部５１ｄに隣接して配置される取付け位置８８にて共に取り付けられ得る。
【００５８】
同様に、右下側フロントフェンダー部４９及び右上側フロントフェンダー部５２の各々が、従来採用されるような１つまたは複数の細長い金属ワイヤ・ステーの存在を回避する同様の構成で提供され得る。具体的には、右下側フロントフェンダー部４９及び右上側フロントフェンダー部５２の各々が、各内側端部及び各外側端部を有し得る。各内側端部は、フレーム４１に取り付けられることが可能であり、また、右下側フロントフェンダー部４９及び右上側フロントフェンダー部５２が、各外側端部の少なくとも一方（例えば、図６に示されるような右上側フロントフェンダー部５２の外側端部）に隣接して配置される取付け位置８９にて共に取り付けられ得る。
【００５９】
１つまたは複数の溝部が、１つまたは複数の所定の通路に沿った流体の通過を容易にすべく、フロントフェンダーアセンブリ４６及び／またはリヤフェンダーアセンブリ５６にて提供され得る。かかる流体は、例えば、泥、空気及び水を含み得る。溝部は、ＡＴＶ４０における重なりフェンダー間の泥の洗浄を容易にするように構成されることが可能であり、また、ＡＴＶ４０の構成部品（例えば、ラジエータ、トランスミッション、エンジンまたは電子機器）の冷却用エアの通過を容易にすることが可能であり、さらにその上、審美的な値を提供することが可能である。
【００６０】
一実施形態では、リヤフェンダーアセンブリ５６が、２つの溝部７３、７６を規定し得る。具体的には、左上側リヤフェンダー部６１が、間隔をおかれた関係で左下側リヤフェンダー部５８と共同し、アクセス開口部７２及び溝部７３の両方を規定するように示される。アクセス開口部７２は、ＡＴＶ４０の前方端部１０６に向かうように示される。溝部７３は、下側リヤフェンダーパネル５７におけるくぼみ部分により部分的に規定されるように示される。溝部７３は、左上側リヤフェンダー部６１が、溝部７３の両側で左下側リヤフェンダー部５８に取り付けられるように、内側端部５８ｃ、６１ｃと取付け位置９０との間に配置されるよう示される。溝部７３は、少なくとも部分的に左リヤホイール４４の上に位置し、また、アクセス開口部７２から所定の出口開口部７４（図９及び１１参照）及び７７（図９参照）への所定の通路８０に沿った流体の通過を容易にすべく構成されるように示される。溝部７３は、図９に最もよく示されるように、所定の通路８０がルート付けられるように、ＡＴＶ４０の前方端部１０６からＡＴＶ４０の後方端部１０７へ全体として長手方向に方向付けられる方向に延び得る。しかしながら、溝部が、種々の他の形態のいずれかで、重なり合うボディパネル間に規定され得ることが理解されるであろう。
【００６１】
アクセス開口部７２及び溝部７３に関して前述したとおり、右上側リヤフェンダー部６２が、間隔をおかれた関係で、右下側リヤフェンダー部５９と共同し、アクセス開口部７５及び溝部７６の両方を規定するように示される。溝部７６は、少なくとも部分的に右リヤホイール４５の上に位置するように、また、アクセス開口部７５から所定の出口開口部７４（図９及び１１参照）と所定の出口開口部８７（図９参照）とへの所定の通路８１に沿った流体の通過を容易にすべく構成されるように示される。溝部７６は、図９に最もよく示されるように、所定の通路８１がルート付けられるように、ＡＴＶ４０の前方端部１０６からＡＴＶ４０の後方端部１０７へ全体として長手方向に方向付けられる方向に延び得る。
【００６２】
所定の出口開口部７４は、下方に方向付けられるように、また、ＡＴＶ４０の後方端部１０７付近の位置で下側リヤフェンダーパネル５７により少なくとも部分的に規定され、ＡＴＶ４０の左側と右側との間の途中に配置されるように、図９及び１１に示される。所定の出口開口部７４は、付加的にまたは代替的に、上側リヤフェンダーパネル６０により少なくとも部分的に規定され得る。この形態において、アクセス開口部７２、７５及び溝部７３、７６により捕らえられる流体の実質的な部分が、所定の出口開口部７４を通じてＡＴＶ４０の裏側の位置へ向けられ得ることが理解されるであろう。アクセス開口部７２、７５及び溝部７３、７６により捕らえられる残りの流体の多くまたはすべて（例えば、ゆっくりと移動する流体）が、所定の出口開口部７７、８７を通じてＡＴＶ４０の下方の位置へ向けられ得る。このような流体が、例えば、ＡＴＶ４０のエンジン用のエア取入れボックスなどのＡＴＶ４０のシート９６の下方に配置される所定の領域にアクセスすることを防止すべく、（例えば、以下に説明される左下側及び上側内側エッジ部８４、８３に隣接する）下側及び上側リヤフェンダーパネル５７、６０の内側部分が隆起または別の方法により形成されることが可能である。しかしながら、１つまたは複数の所定の出口開口部が、種々の代替的な位置及び構成のいずれかで（例えば、図３６、３６ａ、３７、３８及び３８ａの実施形態参照）提供され得ることが理解されるであろう。
【００６３】
リヤフェンダーアセンブリ５６に関して前述したように、フロントフェンダーアセンブリ４６は、２つの溝部６７、７０を規定し得る。具体的には、左上側フロントフェンダー部５１が、間隔をおかれた関係で左下側フロントフェンダー部４８と共同し、アクセス開口部６６及び溝部６７の両方を規定するように示される。溝部６７は、少なくとも部分的に左フロントホイール４２の上に位置するように、また、アクセス開口部６６から所定の出口開口部６８への所定の通路７８に沿った流体の通過を容易にすべく構成されるように示される。溝部６７は、所定の通路７８がルート付けられるように、ＡＴＶ４０の前方端部１０６からＡＴＶ４０の後方端部１０７へ全体として長手方向に方向付けられる方向に延び得る。
【００６４】
アクセス開口部６６及び溝部６７に関して前述したように、右上側フロントフェンダー部５２が、間隔をあけられた関係で、右下側フロントフェンダー部４９と共同し、アクセス開口部６９及び溝部７０の両方を規定するように示される。溝部７０は、少なくとも部分的に右フロントホイール４３の上に位置するように、また、アクセス開口部６９から所定の出口開口部７１（図４に示される）への所定の通路７９に沿った流体の通過を容易にすべく構成されるように示される。溝部７０は、所定の通路７９がルート付けられるように、ＡＴＶ４０の前方端部１０６からＡＴＶ４０の後方端部１０７へ全体として長手方向に方向付けられる方向に延び得る。
【００６５】
前述したように、下側及び上側リヤフェンダーパネル５７、６０は、ファスナー（例えば図１２中のボルト１２２）を、フェンダー部（例えば５８、６１）の内側端部（例えば５８ｃ、６１ｃ）における位置合わせされた孔部を通じて、フレーム４１における孔部（例えばネジ付き孔部）内に通過させることにより、フレーム４１に取り付けられ得る。一実施形態によれば、下側及び上側リヤフェンダーパネル５７、６０が、フレーム４１に対するシート９６の取付け前に、フレーム４１に取り付けられ得る。シート９６は、図１０に示されるようなフレーム４１に取り付けられるキャッチ９４及び９５をそれぞれ選択的につなぎ合わせるためのフック９２及び９３を有するように、図２７に示される。例えば、フック９２、９３及びキャッチ９４、９５の使用によって、シート９６は、フレーム４１への選択的な取付けのために構成され得る。図１０に示されるように、シート９６がフレーム４１に取り付けられない場合に、シートの下方の領域が、例えば、修理及び清掃のためにアクセス可能であり得ることが見てとられる。したがって、このようにシートを都合よく取り除きまた取り付けるための能力が好都合であり得ることが理解されるであろう。
【００６６】
シート９６は、それぞれシート９６の底面に付属する左バンパー部材９７及び右バンパー部材９９を有するように、図２７に示される。左バンパー部材９７は、左圧縮面９８を有するように示され、また、右バンパー部材９９は、右圧縮面１００を有するように示される。一実施形態では、左及び右圧縮面９８、１００の各々がラバー（rubber）を有する。他の実施形態では、左及び右バンパー部材９７、９９の各々が、部分的にまたは完全にラバーから形成される。圧縮面及び／またはバンパー部材の１つまたは複数が、シートの他の部分と一体的に提供され得る一方で、それらは、代替的に、接着剤、ファスナー、連結機械構造またはその同様のもので、シートの他の部分に取り付けられ得ることが理解されるであろう。
【００６７】
図２８に示されるように、シート９６がフレーム４１に取り付けられるときに、左圧縮面９８が、左上側リヤフェンダー部６１の内側端部６１ｃにて設けられた左上側リヤフェンダー部６１の左上側内側エッジ部８３に接触するように示される。左上側内側エッジ部８３は、左下側リヤフェンダー部５８（図１２も参照）の内側端部５８ｃにて設けられた左下側リヤフェンダー部５８の左下側内側エッジ部８４に重なり、接触するように示される。左圧縮面９８と対応する左下側内側エッジ部８４の一部が、左圧縮面９８と対応する左上側内側エッジ部８３の一部に接触するとともに、フレーム４１に接触するように、図２８に示される。このように、図２８に示されるようなフレーム４１に対するシート９６の取付けに際して、左バンパー部材９７は、左圧縮面９８とフレーム４１との間に、左上側内側エッジ部８３及び左下側内側エッジ部８４を挟み込む。同様に、フレーム４１に対するシート９６の取付けに際して、右バンパー部材９９は、右圧縮面１００とフレーム４１との間に、右上側内側エッジ部８５（図５参照）及び右下側内側エッジ部８６（図３参照）を挟み込む。そうすることで、また、前述したファスナー（例えば図１２中のボルト１２２）を補助することにより、左及び右バンパー部材９７、９９が、フレーム４１に対するリヤフェンダーアセンブリ５６の固定を容易にすべく、各フェンダー部６１、５８、６２、５９の各エッジ部８３、８４、８５、８６を挟み込む。左及び右バンパー部材９７、９９はまた、フレーム４１に対するリヤフェンダーアセンブリ５６の振動を防止する役目を果たし得る。
【００６８】
重なるフェンダーパネルの取付け位置は、種々の適切な形態のいずれかで達成され得る。それらの形態の１つが、取付け位置９０に関して、また、図１４〜１９の図に関連して説明されるであろう。取付け位置９１（図１０参照）が、取付け位置９０に関して以下に説明されるものと同様の構成で提供され得ることが理解されるであろう。取付け位置８８及び８９もまた、取付け位置９０に関して示されるような２本のボルト（すなわち図１９に示される３３０、３８０）及びポケット（すなわち図１９にまた示される３１２、３６２）の代わりに、取付け位置８８及び８９の各々が、（それに応じてそれぞれ単一のポケットを必要とするであろう）単一のボルトのみ有するように示されることを除いて、取付け位置９０に関して以下に説明されるものと同様の構成で提供され得ることも理解されるであろう。しかしながら、重なったパネルを伴う取付け位置がいかなる数のボルト及びポケットをも含み得ることが理解されるであろう。
【００６９】
具体的には、取付け位置９０にて、ボルト３３０及び３８０が、左上側リヤフェンダー部６１における各孔部３１０及び３６０を通過するように示される。左上側リヤフェンダー部６１は、孔部３１０及び３６０の各々を取り囲み、内側に規定する環状部（annular portion；例えば図１９中の３５８）を有し得る。環状部は、環状部に外側で隣接する左上側リヤフェンダー部６１の部分に対して隆起させられ、及び／または、左上側リヤフェンダー部６１の部分より大きい厚さを有することが可能である。環状部は、各ボルト（例えば図１９中の３８０）の各圧縮面（例えば図１９中の３８４）に接触するように構成されることが可能であり、また、ボルト（例えば３８０）の締結からもたらされる左上側リヤフェンダー部６１におけるクリープ効果（creep effect）を緩和させるように構成され得る。例えば、図１９を参照すれば、ボルト３８０のパンヘッド（pan head）３８２が、（ボルト３３０及びＴナット３２０に関して示されるように）圧縮面３８４がＴナット３７０に接触するまで締結されるときに、環状部３５８が圧縮され、それにより、ボルト３８０の圧縮面３８４の下方以外の領域における左上側リヤフェンダーパネル部６１に対するいかなる実質的な変形をもたらすことなく、ボルト３８０とＴナット３７０との間の接続において張力（tension）がもたらされる。したがって、これらの環状部（例えば図１９中の３５８）の存在により、（図１９中のボルト３３０に対して示されるように）ボルト３３０、３８０の完全な締結にもかかわらず、顕著な審美的な変形が何も左上側リヤフェンダー部６１に生じることはほとんどない。
【００７０】
左下側リヤフェンダー部５８は、取付け位置９０にて２つのポケット３１２及び３６２を有するように、図１５〜１９に示される。ポケット３１２及び３６２の各々は、左下側リヤフェンダー部５８を通じて延びる各開口部３１４、３６４を規定する。開示事項の明確さのため、図８では各取付け位置８８、８９、９０及び９１に対応するポケットが現れるものの、重なり合うフェンダーパネルがポケットの使用なしに取り付けられ得るように（例えば図３４〜３５に示されるように）、図３〜５ではそれらのポケットが示されないことが留意される。
【００７１】
例えば、ポケット３１２は、Ｔナット３２０のネック部３２４が開口部内に延びるように、スナップ式構成でＴナット３２０のベース部３２２を受けるべく構成されるように示される。ポケット３６２は、Ｔナット３７０を受けるべく同様に構成され得る。各Ｔナット（例えば３２０）のネック部（例えば３２４）は、対応するボルト（例えば３３０）のネジ付き端部が、ネック部が開口部（例えば３１４）を通過するときに、ネック部により受けられ得るように、ネジ付き孔部（例えば３２６）を規定し得る。
【００７２】
ポケット３１２は、図１６及び１８に示されるように、Ｔナット３２０を受けるべく構成される周囲部（perimeter）３１３を有し得る。周囲部３１３は、２つの斜角コーナ（beveled corner）３１７及び３１８を有し得るが、それ以外は、図１６及び１８にも示されるように、全体として矩形であり得る。ポケット３１２は、壁部３４３及び２つのコーナ・ストップ３１５及び３１６を有するようにも示される。具体的には、壁部３４３は、周囲部３１３から延びることが可能であり、斜角コーナ３１７及び３１８の各々に隣接した切欠き部３４５及び３４６を有することが可能である。一実施形態では、図１５〜１８に示されるように、切欠き部３４５及び３４６が、左下側リヤフェンダー部５８を通じて全体に延びる孔部を有し得る。斜角コーナ３１７及び３１８及び切欠き部３４５及び３４６は、コーナ・ストップ３１５及び３１６を共に規定するように示される。
【００７３】
一旦Ｔナット３２０がポケット３１２内に挿入されると、コーナ・ストップ３１５及び３１６は、壁部３４３及び孔部３１０と共同して、ポケット３１２内におけるスナップ式構成でのＴナット３２０の保持を容易にし得る。具体的に、一旦Ｔナット３２０がポケット３１２内に挿入されると、孔部３１０とのネック部３２４の相互作用、及び、壁部３４３及びコーナ・ストップ３１５、３１６とのベース部３２２の相互作用が、Ｔナットがポケット３１２から容易に取り除かれることを防止し得る。ポケット３６２は、例えば、図１５〜１９に示されるように、ポケット３１２と同様に構成され得る。
【００７４】
取付け位置９０における左下側リヤフェンダー部５８への左上側リヤフェンダー部６１の取付けを容易にするために、Ｔナット３２０、３７０は、前述されたようなスナップ式構成で、各ポケット３１２、３６２内に挿入され得る。その後、ボルト３３０、３８０が、左上側リヤフェンダー部６１における各孔部３１０、３６０内に、また、左下側リヤフェンダー部５８の各ポケット３１２、３６２内に配置された各Ｔナット３２０、３７０のネジ付き孔部（例えば３２６）内に、挿入され得る。前述されたように、一旦Ｔナット３２０、３７０が各ポケット３１２、３６２内に挿入されると、各ポケット３１２、３６２からのＴナット３２０、３７０の取り外しは容易に実現されないことがある。したがって、典型的には、ポケット３１２、３６２が、この保持機能をもたらすべく構成され得るため、Ｔナット３２０、３７０の各ネジ付き孔部（例えば３２６）内へのボルト３３０、３８０の挿入の間に、Ｔナット３２０、３７０を手作業で保持する必要はない。この構成が、Ｔナット３２０、３７０の自動的なハンズフリーの保持をもたらすため、取付け位置９０にて左下側リヤフェンダー部５８及び左上側リヤフェンダー部６１を組み立てるプロセスが、極めて簡単とされる。
【００７５】
重なり合うパネルが、種々の代替的なファスナー構成のいずれかの使用によって、（例えば取付け位置にて）取り付けられ得ることが理解されるであろう。例えば、１つの代替的な実施形態では、図３４〜３５に示されるように、各パネル６５７及び６６０（例えばフェンダーパネル等の車両用ボディパネル）が、ボルト６３０、ラバーブーツ（rubber boot）６１９、及び、ボルト６３０のネジ付き端部を受けるためのネジ付き孔部を規定するナット６２０の使用によって取り付けられ得る。ラバーブーツ６１９は、パネル６６０における孔部を通じて挿入されることが可能であり、パネル６５７は、パネル６５７における孔部がパネル６６０における孔部と位置合わせされるように配置され得る。その後、ボルト６３０が、図３４に示されるように、ナット６２０内に捩じ込まれ得る。ボルト６３０が締結されるとき、ナット６２０は、パネル６５７、６６０に向かって引き寄せられ、それにより、ラバーブーツ６１９が圧縮され、直径方向に拡大し、そして、結果的にパネル６５７、６６０が共に固定される。
【００７６】
ＡＴＶ用のボディパネルは、典型的には、所定の許容範囲内で製造される（例えば成形される）ため、ボディパネルは、さらになお容認可能な許容限度内に含まれる最適な所望値（optimally desired）よりもわずかに大きくまたは小さくなり得る。したがって、ボディパネルに設けられる取付け孔部（例えばボルト用の）は、多くの場合、許容範囲変動に適応すべく長くされる。許容範囲内のボディパネルの寸法における変動は、多くの場合、車両の見物者には見えない。しかしながら、これらの変動は、特に、各ボディパネルが、許容限界に近づく寸法を有するボディパネルの一方または両方が原因で、不規則な境界面にて集まるときに目立ち得る。
【００７７】
ＡＴＶ４０における各ボディパネル間の１つの境界面が、後述されるように、フロントフェンダーアセンブリ４６がリヤフェンダーアセンブリ５６に接触するＡＴＶ４０の中心付近で（すなわち、図２０に示される中間ファスナー１１８にて）提供されるように示される。フロント及びリヤフェンダーアセンブリ４６、５６の各々は、この境界面にて、ＡＴＶ４０のフレーム４１に取り付けられ得る。この境界面の位置がＡＴＶ４０の共通の焦点であり得るため、この境界面における不規則は、実質的にまったく受け入れられない。そのようなものとして、また、ＡＴＶ４０が品質及び耐久性のイメージを一貫して示すために、最小限の変動／不規則が、この境界面にてフロント及びリヤフェンダーアセンブリ４６、５６間にもたらされることが重要であり得る。フロント及び／またはリヤフェンダーアセンブリ４６、５６のいずれかが許容限度に近づく程度まで、いかなる変動も、後述されるように、ＡＴＶ４０の各前方及び後方端部１０６、１０７に隣接して設けられる調整可能なファスナーの構成（例えば、ボディパネルにおける細長い孔部を含む）によって、適応され得る。この構成では、フロント及びリヤフェンダーアセンブリ４６、５６とＡＴＶ４０の前方及び後方端部１０６、１０７付近に配置されるＡＴＶ４０の他の部分との間の境界面が、ＡＴＶ４０の見物者に対して特に目立たないため、フロントまたはリヤフェンダーアセンブリ４６、５６のいずれかの許容範囲におけるいかなる変動もＡＴＶ４０の見物者の目を引くことになることはほとんどない。
【００７８】
具体的には、フレーム４１が、例えば、前方端部１０８から後方端部１０９へ延びるように図３に示される。フレーム４１は、フレーム４１の前方端部１０８に隣接して配置される前方取付け構造（例えば図６中の１１０）を有するように示される。フレーム４１はまた、フレーム４１の後方端部１０９に隣接して配置される後方取付け構造（例えば図２６中の１１１）を有するように示される。フレーム４１は、フレーム４１の前方端部１０８とフレーム４１の後方端部１０９との間の中間付近に配置される中間取付け構造（例えば図２２〜２３中の１１２）を有するように付加的に示される。
【００７９】
フロントフェンダーアセンブリ４６は、前方取付け構造１１０及び中間取付け構造１１２の各々への取付けのために構成されるように示される。リヤフェンダーアセンブリ５６は、中間取付け構造１１２及び後方取付け構造１１１の各々への取付けのために構成されるように示される。図２１、２４及び２５に示されるように、また、以下でさらに詳細に記述されるように、中間ファスナー１１８（例えばネジ付きボルト）が、中間取付け構造１１２により、また、中間取付け構造１１２にこれらの重なり部分を取り付けるために、フロント及びリヤフェンダーアセンブリ４６、５６の重なり部分（例えば、それぞれ左下側フロント及びリヤフェンダー部４８及び５８）により、それぞれ規定される位置合わせ孔部１１３、１１５、１１６内に挿入され得る。一実施形態では、図２４及び２５に示されるように、中間取付け構造１１２における孔部１１３が、中間ファスナー１１８のネジ付け端部を受けるように構成されたネジ付き孔部を有する。図２４及び２５に示される実施形態では、例えば、フロントフェンダーアセンブリ４６及びリヤフェンダーアセンブリ５６により規定される位置合わせ孔部１１５及び１１６が、フロントフェンダーアセンブリ４６の後方端部に対するリヤフェンダーアセンブリ５６の前方端部の位置決めに関して、もしあっても、ほんの少ししかない変動性を可能とすべく、実質的に丸いように示される。一実施形態では、また、図２及び２０を参照すれば、位置合わせ孔部１１５、１１６及び１１３及び中間ファスナー１１８が、シート９６の最下部の垂直下方の位置に、また、シート９６の最上部の水平前方の位置に配置され得る。しかしながら、これらの特徴部が、車両における種々の適切な形態及び構成のいずれでも配置され得ることが理解されるであろう。
【００８０】
また、中間ファスナー１１８が、ＡＴＶ４０の左側におけるフロントフェンダーアセンブリ４６及びリヤフェンダーアセンブリ５６の取付けに関して示されるものの、他の中間ファスナーが、フロントフェンダーアセンブリ４６及びリヤフェンダーアセンブリ５６をＡＴＶ４０の右側に同様に取り付けるために提供され得ることが理解されるであろう。具体的には、中間ファスナーが、ＡＴＶ４０の両側に対応して配置される左中間ファスナー（例えば１１８）及び右中間ファスナーを含み得る。この場合、左中間ファスナー（例えば１１８）が、フロントフェンダーアセンブリ（例えば４６）、リヤフェンダーアセンブリ（例えば５６）及び中間取付け構造（例えば１１２）の各々の左部分により規定される各位置合わせ孔部（例えば１１５、１１６、１１３）内に挿入され、また、右中間ファスナーが、フロントフェンダーアセンブリ（例えば４６）、リヤフェンダーアセンブリ（例えば５６）及び中間取付け構造（例えば１１２）の各々の右部分により規定される各位置合わせ孔部内に挿入される。
【００８１】
この構成では、リヤフェンダーアセンブリ５６の前方端部とフロントフェンダーアセンブリ４６の後方端部との間の境界面は、実質的に均一または密接であることが可能であり、また、フロント及びリヤフェンダーアセンブリ４６、５６の寸法におけるいかなる変動性も、フレーム４１の前方及び後方端部１０８、１０９の各々にて説明されることができ、その場所では、フロント及びリヤフェンダーアセンブリ４６、５６が、一般的には他のボディ構成部品と密接に接合すること（interface）が期待されず、（例えばフェンダーアセンブリを成形するあいだに不規則に生じる）適合性のわずかな変化が目立つことはほとんどない。この柔軟性を提供するために、フロントフェンダーアセンブリ４６の前方端部は、細長いスロット孔部（例えば図６中の１１４）を備えることが可能であり、また、リヤフェンダーアセンブリ５６の後方端部は、細長いスロット孔部（例えば図２６中の１１７）を備えることが可能である。ファスナー（例えば図６中のボルト１２１）は、フロントフェンダーアセンブリ４６における細長いスロット孔部（例えば図６中の１１４）を通じて、フレーム４１の前方取付け構造１１０におけるネジ付き孔部内に通過し得る。同様に、ファスナー（例えば図１０、１２及び２６中のボルト１２２）は、リヤフェンダーアセンブリ５６における細長いスロット孔部（例えば図２６中の１１７）を通じて、フレーム４１の後方取付け構造１１１におけるネジ付き孔部（例えば図２６中の１３６）内に通過し得る。したがって、中間ファスナー１１８は、フロントフェンダーアセンブリ４６及びリヤフェンダーアセンブリ５６の少なくとも一方における許容範囲の変動性が、（中間取付け構造１１２への代わりに）前方取付け構造１１０及び後方取付け構造１１１の少なくとも一方への取付けにおける変動をもたらすように、フロントフェンダーアセンブリ４６とリヤフェンダーアセンブリ５６との間の一貫した接合（interface）を容易にすべく、基準を規定する。
【００８２】
中間ファスナー（例えば１１８）は、フレーム４１に対するフロント及びリヤフェンダーアセンブリ４６、５６の各部分を取り付けるために、種々の適切な構成のいずれかで、提供され得る。例えば、１つの特定の実施形態では、図２１〜２５に示されるように、中間ファスナー１１８が、ヘッド１２０及びネジ付き端部１１９を有するボルトを有するように示される。グロメット２１６が、中間ファスナー１１８の一部分を取り囲むように示される。グロメット２１６は、フロントフェンダーアセンブリ４６が、中間ファスナー１１８に隣接するリヤフェンダーアセンブリ５６に接触することを防止すべく、フロントフェンダーアセンブリ４６（例えば左下側フロントフェンダー部４８）とリヤフェンダーアセンブリ５６（例えば左下側リヤフェンダー部５８）との間に配置され得る。かかる接触を防止するために、グロメット２１６は、フロント及びリヤフェンダーアセンブリ４６、５６の接触からもたらされる各フロント及びリヤフェンダーアセンブリ４６、５６に対する擦り傷（abrasion）を防止する。グロメット２１６はまた、フロント及びリヤフェンダーアセンブリ４６、５６の各々がフレーム４１に接触することを防止すべく、フロント及びリヤフェンダーアセンブリ４６、５６の各々とフレーム４１との間に配置され得る。この構成では、（例えばＡＴＶのエンジンから最初に発散される）フレーム４１からの熱が、あまりフロント及びリヤフェンダーアセンブリ４６、５６に伝導されそうになく、それにより、フロント及びリヤフェンダーアセンブリ４６、５６の反り及び変色が防止され得る。したがって、図２１〜２５の締結用の構成では、フロント及びリヤフェンダーアセンブリ４６、５６の両方の部分が、フレーム４１の共通の場所に取り付けられることが可能であるが、互いやフレーム４１に接触しない。
【００８３】
一実施形態によれば、図２２〜２５に示されるように、グロメット２１６が、外面２１８を有することが可能であり、また、第１の端部２２２から第２の端部２２４まで長手方向に延びる穴２２０を規定することが可能である。中間ファスナー１１８は、図２４〜２５に示されるように、穴２２０を通過し得る。外面２１８は、環状溝部２２６を規定することが可能であり、環状溝部２２６は、その環状溝部２２６の両側に配置される長手方向に隣接するグロメット２１６の環状部分２２８、２３０と比較して小さな直径を有する。長手方向に隣接する環状部分の一方（例えば２３０）は、第１の端部２２２を規定するように示され、他方、長手方向に隣接する環状部分の他方（例えば２２８）は、第２の端部２２４を規定するように示される。図２２〜２５に示されるように、グロメット２１６は、フロントフェンダーアセンブリ４６における孔部１１５が、環状溝部２２６を取り囲むように、また、フロントフェンダーアセンブリ４６の一部（例えば左下側フロントフェンダー部４８の一部）が環状溝部２２６内に保持されるように、配置され得る。一実施形態では、図２２〜２５に示されるように、グロメット２１６の第１の端部２２２が、リヤフェンダーアセンブリ５６における孔部１１６に隣接して、リヤフェンダーアセンブリ５６（例えば左下側リヤフェンダー部５８の一部）に接触し得る。グロメット２１６は、種々の材料のいずれかを含み得るが、一実施形態では、グロメット２１６が、ラバー等の弾性材料を含み得る。
【００８４】
一実施形態では、スリーブ２１０が、穴２２０がスリーブ２１０を取り囲むように、グロメット２１６の穴２２０内に提供され得る。スリーブ２１０は、長手方向に延びる穴２１２を規定し得る。図２４〜２５に示されるように、中間ファスナー１１８は、スリーブ２１０が中間ファスナー１１８の一部を取り囲み、グロメット２１６と中間ファスナー１１８との間に配置されるように、スリーブ２１０における穴２１２を通過し得る。この実施形態では、中間ファスナー１１８が、リヤフェンダーアセンブリ５６とフレーム４１の中間取付け構造１１２との間でグロメット２１６を圧縮するように構成される。
【００８５】
スリーブ２１０は、中間ファスナー１１８によりグロメット２１６の圧縮を制限するように配置され構成され得る。一実施形態では、図２４〜２５に示されるように、スリーブ２１０が、フレーム４１の中間取付け構造１１２に接触することが可能であり、また、中間ファスナー１１８の締結に際して中間ファスナー１１８のヘッド１２０と接触すべく、リヤフェンダーアセンブリ５６における孔部１１６内に付加的に延びることが可能である。ヘッド１２０はまた、図２４〜２５に示されるように、リヤフェンダーアセンブリ５６に接触し得る。また図２４〜２５に示されるように、スリーブ２１０は、フレーム４１の中間取付け構造１１２のより大きな表面領域にわたり接触し力を分散させるために、径方向に延ばされた部分２１４を有し得る。かかる環境において、グロメット２１６の第２の端部２２４は、グロメット２１６がリヤフェンダーアセンブリ５６とスリーブ２１０の径方向に延ばされた部分２１４との間で圧縮されるように、径方向に延ばされた部分２１４に接触し得る。スリーブ２１０は、種々の材料のいずれかを含み得るが、一実施形態では、スリーブ２１０がステンレス鋼等の金属を含み得る。前述したような圧縮の制限に加えて、スリーブ２１０は、また、フレーム４１及び／または中間ファスナー１１８からフロント及びリヤフェンダーアセンブリ４６、５６への熱の移動を防止することを助ける役割を果たし得る。他の実施形態では、フロント及びリヤフェンダーアセンブリ４６、５６の位置が、中間ファスナー１１８、グロメット２１６、及び／または、スリーブ２１０に対して逆にされてもよいことが理解されるであろう。
【００８６】
燃料タンクカバー１９０が、左下側リヤフェンダー部５８及び左下側フロントフェンダー部４８に隣接して配置されるボディパネルを有するように、図２０〜２２に示される。一実施形態では、燃料タンクカバーが、上側フロントフェンダーパネル５０により一体的に提供され得る。しかしながら、別の実施形態では、燃料タンクカバーが、上側フロントフェンダーパネル５０とは別個の構成部品として提供され得る。どちらの環境でも、燃料タンクカバー１９０が、孔部１９１を規定するタブ１９４を有し得る。ファスナー（例えばプッシュピン１９２）が、フレーム４１の中間取付け構造１１２に対する燃料タンクカバー１９０の間接的な取付けを容易にすべく、孔部１９１を通じて、また、左下側フロントフェンダー部４８における孔部１９６（図２３）を通じて挿入され得る。具体的には、プッシュピン１９２が、燃料タンクカバー１９０が中間ファスナー１１８及び左下側フロントフェンダー部４８によってフレーム４１に間接的に取り付けられるように、中間ファスナー１１８に隣接して配置されるように示される。一実施形態では、図２１に示されるように、プッシュピン１９２が、左下側リヤフェンダー部５８によって、視界から隠され得る。別の実施形態では、燃料タンクカバーが、付加的にまたは代替的に、１つまたは複数のプッシュピンまたは他のファスナーを用いて、左下側フロントフェンダー部４８以外のＡＴＶ４０の１つまたは複数の構成部品に取り付けられてもよい。
【００８７】
リヤフェンダーアセンブリ５６は、フェンダーを支持するために、従来のＡＴＶにて存在する場合よりも少ない細長い金属ワイヤ・ステーの使用によって、フレーム４１に対して支持され得る。しかしながら、いくつかの環境では、リヤフェンダーアセンブリ５６の部分を支持するために、制限された数の細長い金属ワイヤ・ステーが提供されることがある。具体的には、図２９〜３０に示されるように、左下側リヤフェンダー部５８の最下位部分が、フレーム４１に対して、また、隣接する泥よけ４１２及びフットレスト４１０に対して、ステーアセンブリ４２０により支持され得る。同様の構成は、ＡＴＶ４０の右側において提供され得る。
【００８８】
具体的には、図２９〜３０に示されるように、ステーアセンブリ４２０が、２つの細長い金属ワイヤ４２２及び４２４を有し得ることが見てとられる。細長い金属ワイヤ４２２、４２４が、バネ型の鋼から形成され得ることが予期されるが、細長い金属ワイヤ４２２、４２４が、代替的に、いくつかの他の材料から形成されてもよいことが理解されるであろう。細長い金属ワイヤ４２２、４２４の各々が、フレーム４１、左下側リヤフェンダー部５８、フットレスト４１０及び泥よけ４１２の各々に取り付けられるように示される。他の実施形態では、ステーアセンブリが、１つのみの細長い金属ワイヤを有してもよく、または、代替的に、２つ以上の細長い金属ワイヤを有してもよいことが理解されるであろう。
【００８９】
細長い金属ワイヤ４２２、４２４の各々が、共通の場所で左下側リヤフェンダー部５８に取り付けられるように示される。具体的には、ボルト４２８が、左下側リヤフェンダー部５８における孔部を通じて、細長い金属ワイヤ４２２の端部４４０を通じて、また、細長い金属ワイヤ４２４の一部に巻き付く旋回クリップ４２７内へ通過するために提供されるように示される。他の実施形態では、ステーアセンブリの細長い金属ワイヤは、代替的な構成（例えば異なる場所で）でフェンダー部に取り付けられ得る。
【００９０】
細長い金属ワイヤ４２２、４２４が、異なる場所でフレーム４１に取り付けるように示される。具体的には、細長い金属ワイヤ４２４が、フレーム４１におけるネジ付き孔部内に挿入され得るボルト４２６まわりに巻き付けられる端部４２５を有するように示される。この構成が、細長い金属ワイヤの端部を車両のフレームに取り付けるのに効果的であるものの、それは、細長い金属ワイヤの過度に複雑な曲げを要し、また、取り付けられた構成部品により動作の不十分な柔軟性を促進するように、細長い金属ワイヤの中間部分をフレームに取り付けるのに効果的な構成を提供しない。細長い金属ワイヤの中間部分へ取り付けブラケットを溶接する試みは、細長い金属ワイヤの弾力性及び引張強度への悪影響をもたらし得る。
【００９１】
そのようなものとして、細長い金属ワイヤ４２２が、細長い金属ワイヤ４２２の長手部分４２３を取り囲む旋回クリップ４５４の使用によって、フレーム４１に取り付けられるように示される。さらに詳細に後述されるように、旋回クリップ４５４は、フレーム４１に対する細長い金属ワイヤ４２２の取付けを容易にし得るが、また、フレーム４１に対する細長い金属ワイヤ４２２の少なくともいくらかの動作を容易にし得る。細長い金属ワイヤ４２２は、細長い金属ワイヤ４２２の長手部分４２３の両側で、左下側リヤフェンダー部５８、及び、泥よけ４１２に取り付けられるように示される。細長い金属ワイヤ４２２はまた、細長い金属ワイヤ４２２の長手部分４２３の両側で、泥よけ４１２に取り付けられるように示される。旋回クリップ４５４が、例えば、ボルト４６８の使用によって、フレーム４１に取り付けられ得る。他の実施形態では、各細長い金属ワイヤが、種々の代替的な構成のいずれかで、フレームに取り付けられてもよい。
【００９２】
細長い金属ワイヤ４２２、４２４が、異なる場所で泥よけ４１２に取り付けられるように示される。具体的には、細長い金属ワイヤ４２４が、泥よけ４１２における孔部を通じて、各旋回クリップ４２９、４３３内に挿入されるボルト４３０、４３４で、泥よけ４１２に取り付けられるように示される。細長い金属ワイヤ４２２は、泥よけ４１２における孔部を通じて、各旋回クリップ４３１、４３５内に挿入されるボルト４３２、４３６で、泥よけ４１２に取り付けられるように示される。他の実施形態では、各細長い金属ワイヤが、ＡＴＶのフットレスト、フレーム及びリヤフェンダーアセンブリに対して少なくとも部分的に泥よけを支持するために、種々の代替的な構成のいずれかで、泥よけに取り付けられてもよい。
【００９３】
細長い金属ワイヤ４２２、４２４が、異なる場所でフットレスト４１０に取り付けられるように示される。具体的には、細長い金属ワイヤ４２４の一端部が、フットレスト４１０に対する固定のために、フットレスト４１０における孔部内に挿入されるように示される。細長い金属ワイヤ４２２の一端部４４２は、フットレスト４１０におけるネジ付き孔部内に挿入され得るボルト４４３まわりに巻き付けられるように示される。他の実施形態では、各細長い金属ワイヤは、種々の代替的な構成のいずれかで、フットレストに取り付けられてもよい。
【００９４】
ステーアセンブリ４２０、また、具体的には、細長い金属ワイヤ４２２、４２４が、泥よけ４１２とリヤフェンダーアセンブリ５６の左下側リヤフェンダー部５８との間の一貫した間隔の開きを容易にするように構成され得ることが見てとられる。そのようなものとして、ＡＴＶ４０の使用の間に、泥よけ４１２の位置は、リヤフェンダーアセンブリ５６に対して顕著に移動する見込みがなく、また、岩屑が、泥よけ４１２とリヤフェンダーアセンブリ５６の左下側リヤフェンダー部５８との間のギャップ内に捕らえられることはほとんどない（例えば、図３３に示される構成を有する従来のＡＴＶと比較して）。
【００９５】
前述されたように、また、図３１〜３２にさらに詳細に示されるように、細長い金属ワイヤ４２２が、旋回クリップ４５４の使用によって、フレーム４１に取り付けられるように示される。旋回クリップ４５４は、保持部分４５６及び取付け部分４５８を有するように示される。一実施形態では、旋回クリップ４５４が、金属またはいくつかの他の材料から形成されるリボン４６２を有し得る。リボン４６２は、第１の端部４６４から第２の端部４６６へ延び得る。リボン４６２の一部（例えば保持部分４５６）は、第１の端部４６４が第２の端部４６６に重なるように、細長い金属ワイヤ４２２の長手部分４２３を少なくとも部分的に取り囲み得る。保持部分４５６は、第１の端部４６４と第２の端部４６６との間のリボン４６２に沿った中間付近に配置されるように示される。
【００９６】
このように、また、図３１〜３２に示されるように、一旦重ねられれば、第１及び第２の端部４６４、４６６が、細長い金属ワイヤ４２２が、リボン４６２によりフレーム４１に可動に取り付けられるように、フレーム４１に取り付けられ得る。具体的には、リボン４６２の取付け部分４５８が、孔部４６５を規定するリボン４６２の第１の端部４６４、及び、孔部４６７を規定するリボン４６２の第２の端部４６６を有し得る。フレーム４１はネジ付き孔部４７０を規定し得る。ボルト４６８は、フレーム４１の旋回クリップ４５４の取付けを容易にすべく、ワッシャ４６９、孔部４６５、４６７を通じてネジ付き孔部４７０内に通過し得る。
【００９７】
旋回クリップ４５４によるフレーム４１に対する細長い金属ワイヤ４２２のこの可動の取付けが、フレーム４１に対する長手部分４２３の少なくともいくらかの回転、及び／または、フレーム４１に対する長手部分４２３の少なくともいくらかの長手方向の動作を含み得ることが理解されるであろう。フレーム４１に対する長手部分４２３のいくらかの動作を可能とすることにより、もし長手部分４２３がフレーム４１に堅固に固定されれば、旋回クリップ４５４が、曲げ、または、それ以外にリヤフェンダーアセンブリ５６及び／またはフットレスト４１０に付与され得る他の力の大きさを抑制することが理解されるであろう。
【００９８】
ＡＴＶ４０のフレーム４１に左下側リヤフェンダー部５８の最下位端部を取り付けるために、細長い金属ワイヤ４２２が、図２９〜３０に示されるように、細長い金属ワイヤ４２２の長手部分４２３の両側で、左下側リヤフェンダー部５８に、また、泥よけ４１２に取り付けられ得る。細長い金属ワイヤ４２２はまた、図２９〜３０に示されるように、細長い金属ワイヤ４２２の長手部分４２３の両側で、泥よけ４１２に取り付けられ得る。リボン４６２は、リボン４６２の第１及び第２の端部４６４、４６６における各孔部４６５、４６７が位置合わせされるように、細長い金属ワイヤ４２２の長手部分４２３のまわりに少なくとも部分的に巻き付けられ得る。その後、ボルト４６８が、ＡＴＶ４０のフレーム４１に対する細長い金属ワイヤ４２２の可動の取付けを容易にすべく、リボン４６２における孔部４６５、４６７を通じてＡＴＶ４０のフレーム４１に設けられたネジ付き孔部４７０内に挿入され得る。
【００９９】
フェンダーパネルが、種々の他の適切な構成のいずれかで、ＡＴＶ等の車両用に提供され得ることが理解されるであろう。例えば、１つの代替的な実施形態では、図３６、３６ａ、３７、３８及び３８ａに示されるように、ＡＴＶが、フレーム７４１並びに重なり合う構成で設けられたフロント及びリヤフェンダーアセンブリ７４６、７５６を有し得る。具体的には、フロントフェンダーアセンブリ７４６が、下側フロントフェンダーパネル７４７及び上側フロントフェンダーパネル７５０を有するように示される。下側フロントフェンダーパネル７４７は、外周部７５３まで延びるように示され、また、上側フェンダーパネル７５０は、外周部７５４まで延びるように示される。下側フロントフェンダーパネル７４７は、左下側フロントフェンダー部７４８及び右下側フロントフェンダー部７４９を含むように、また、上面７４８ａ及び底面７４８ｂを有するように示される。上側フロントフェンダーパネル７５０は、左上側フロントフェンダー部７５１及び右上側フロントフェンダー部７５２を含むように、また、上面７５１ａ及び底面７５１ｂを有するように示される。下側及び上側フロントフェンダーパネル７４７及び７５０の両方が、ＡＴＶの左及び右フロントホイールのためにフェンダーを共に提供することが可能であり、左及び右フロントホイールから投げ出される岩屑からの接触をそれぞれ受けることが可能であり、そして、図１〜１２及び１４〜３２の実施形態に関して前述されたように、装飾的なボディパネルとしてそれぞれ役割を果たすことが可能である。
【０１００】
リヤフェンダーアセンブリ７５６は、下側リヤフェンダーパネル７５７及び上側リヤフェンダーパネル７６０を有するように示される。下側リヤフェンダーパネル７５７は、外周部７６３へ延びるように示され、また、上側リヤフェンダーパネル７６０は、外周部７６４へ延びるように示される。下側リヤフェンダーパネル７５７は、左下側リヤフェンダー部７５８及び右下側リヤフェンダー部７５９を含むように、また、上面７５８ａ及び底面７５８ｂを有するように示される。上側リヤフェンダーパネル７６０は、左上側リヤフェンダー部７６１及び右上側リヤフェンダー部７６２を含むように、また、上面７６１ａ及び底面７６１ｂを有するように示される。図１〜１２及び１４〜３２に関する前述の構成と同様に、下側及び上側リヤフェンダーパネル７５７及び７６０の両方が、ＡＴＶの左及び右リヤホイールのためにフェンダーを共に提供することが可能であり、左及び右リヤホイールから投げ出される岩屑からの接触をそれぞれ受けることが可能であり、装飾的なボディパネルとしてそれぞれ役割を果たすことが可能である。溝部が、図１〜１２及び１４〜３２の実施形態に関する前述のような１つまたは複数の所定の通路に沿った流体の通過を容易にすべく、フロント及びリヤフェンダーアセンブリ７４６及び７５６に設けられるように図３６、３６ａ、３７、３８及び３８ａに示される。図１〜１２及び１４〜３２の実施形態に関する前述の他の特徴部のいくつかまたはすべてがまた、図３６、３６ａ、３７、３８及び３８ａの実施形態にて設けられてもよく、そのいくつかが図３６、３６ａ、３７、３８及び３８ａに示される。
【０１０１】
前述の特徴部の多くが各フェンダーパネルを有する一方、他の実施形態が、車両に設けられ得るようなボディパネルを有してもよくまたは有さなくてもよい他のタイプの各パネルを有し得ることが理解されるであろう。
【０１０２】
実施形態及び例の前述の説明は、例証及び説明のために提供されてきた。それは、排他的であること、または、記載された形式に本発明を限定することを目的とするものでない。多くの変更が、前記の教示に照らして可能である。それらの変更のいくつかが記述されてきたが、その他は、当業者に理解されるであろう。実施形態は、意図される特定の用途に適したような種々の実施形態を最良に例示するために選択され説明された。本発明の範囲が本明細書に添付される特許請求の範囲により規定されることがここに意図される。
【図１】
2009544529.tif 000003
【図２】
2009544529.tif 000004
【図３】
2009544529.tif 000005
【図４】
2009544529.tif 000006
【図５】
2009544529.tif 000007
【図６】
2009544529.tif 000008
【図７】
2009544529.tif 000009
【図８】
2009544529.tif 000010
【図９】
2009544529.tif 000011
【図１０】
2009544529.tif 000012
【図１１】
2009544529.tif 000013
【図１２】
2009544529.tif 000014
【図１３】
2009544529.tif 000015
【図１４】
2009544529.tif 000016
【図１５】
2009544529.tif 000017
【図１６】
2009544529.tif 000018
【図１７】
2009544529.tif 000019
【図１８】
2009544529.tif 000020
【図１９】
2009544529.tif 000021
【図２０】
2009544529.tif 000022
【図２１】
2009544529.tif 000023
【図２２】
2009544529.tif 000024
【図２３】
2009544529.tif 000025
【図２４】
2009544529.tif 000026
【図２５】
2009544529.tif 000027
【図２６】
2009544529.tif 000028
【図２７】
2009544529.tif 000029
【図２８】
2009544529.tif 000030
【図２９】
2009544529.tif 000031
【図３０】
2009544529.tif 000032
【図３１】
2009544529.tif 000033
【図３２】
2009544529.tif 000034
【図３３】
2009544529.tif 000035
【図３４】
2009544529.tif 000036
【図３５】
2009544529.tif 000037
【図３６】
2009544529.tif 000038
【図３６ａ】
2009544529.tif 000039
【図３７】
2009544529.tif 000040
【図３８】
2009544529.tif 000041
【図３８ａ】
2009544529.tif 000042
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
フレーム；
該フレームに対して支持される第１のホイール；
該フレームに対して支持され、該第１のホイールから横方向に間隔をおかれた第２のホイール；
該フレームに対して支持され、該第１のホイール及び第２のホイールから長手方向に間隔をおかれた第３のホイール；
該フレームに取り付けられ、該第１のホイール及び第２のホイールの各々にわたり少なくとも部分的に延びる第１のフェンダーパネル；並びに
該第１のフェンダーパネルを少なくとも部分的に覆い、該第１のホイール及び第２のホイールの各々にわたり少なくとも部分的に延びる第２のフェンダーパネル
を有する全地形万能車であって；
該第１のフェンダーパネル及び該第２のフェンダーパネルが、該第３のホイールから長手方向に間隔をおかれている全地形万能車。
【請求項２】
該第２のフェンダーパネルの一部が、該第１のフェンダーパネルの外周部の一部を越えて延びる請求項１記載の全地形万能車。
【請求項３】
該第１のフェンダーパネルの一部が、該第２のフェンダーパネルの外周部の一部を越えて延びる請求項１記載の全地形万能車。
【請求項４】
該第１のホイール及び第２のホイールの各々が、全地形万能車のリヤホイールを有し、該第３のホイールが、フロントホイールを有し、該第１のフェンダーパネルが、下側リヤフェンダーパネルを有し、該第２のフェンダーパネルが、上側リヤフェンダーパネルを有するものである請求項１記載の全地形万能車。
【請求項５】
該第１のフェンダーパネル及び第２のフェンダーパネルの各々が、全地形万能車の左側から全地形万能車の右側へ連続して延びる請求項１記載の全地形万能車。
【請求項６】
該第１のフェンダーパネルが、第１の上面及び第１の底面を有し、該第１の上面の一部が、装飾的なボディ面を規定し、また、該第１の底面の少なくとも一部が、該第１のホイール及び第２のホイールの各々により投げ出される岩屑からの接触を受けるために配置される請求項１記載の全地形万能車。
【請求項７】
該第２のフェンダーパネルが、第２の上面及び第２の底面を有し、該第２の上面の少なくとも一部が、装飾的なボディ面を規定し、また、該第２の底面の一部が、該第１のホイール及び第２のホイールの各々により投げ出される岩屑からの接触を受けるために配置される請求項６記載の全地形万能車。
【請求項８】
フレーム；
該フレームに対して支持される複数のホイール；
該フレームに締結され、第１の上面及び第１の底面を有する第１のパネルであって、該第１の上面の一部が、全地形万能車用の装飾的なボディ面を規定し、該第１のパネルが、全地形万能車の左側から全地形万能車の右側へ連続して延び、該ホイールの少なくとも２つにわたり延び、また、該第１の底面が、該ホイールの該少なくとも２つにより投げ出される岩屑からの接触を受けるべく配置される第１のパネル；並びに
該第１のパネル及び該フレームに締結され、第２の上面及び第２の底面を有する第２のパネルであって、該第２の上面の少なくとも一部が、全地形万能車用の装飾的なボディ面を規定し、該第２の底面の一部が、該第１の上面の少なくとも一部に隣接し、該第２の底面の他の部分が、該ホイールの該少なくとも２つの少なくとも一方により投げ出される岩屑からの接触を受けるべく配置される第２のパネル
を有する全地形万能車。
【請求項９】
該第２のパネルの一部が、該第１のパネルの外周部の一部を越えて延びる請求項８記載の全地形万能車。
【請求項１０】
該複数のホイールが、フロントホイール及びリヤホイールを有し、該第１のパネル及び第２のパネルが共に該リヤホイール用のフェンダーを規定する請求項８記載の全地形万能車。
【請求項１１】
該第２のパネルが、全地形万能車の左側から全地形万能車の右側へ連続して延び、該ホイールの該少なくとも２つにわたり延びる請求項８記載の全地形万能車。
【請求項１２】
該第２の底面が、該ホイールの該少なくとも２つにより投げ出される岩屑からの接触を受けるべく配置される請求項１１記載の全地形万能車。
【請求項１３】
フレーム；
該フレームに対してそれぞれ支持される左ホイール及び右ホイール；
該フレームに取り付けられ、該左ホイール及び右ホイールの各々にわたり少なくとも部分的に延びる第１のフェンダーパネルであって、該第１のフェンダーパネルが第１の上面及び第１の底面を有し、該第１の底面が該左及び右ホイールの少なくともひとつにより投げ出される岩屑からの接触を受けるべく配置される第１のフェンダーパネル；並びに
該第１のフェンダーパネルに対して取り付けられ、第２の上面及び第２の底面を有する第２のフェンダーパネルであって、該第２の底面の一部が該第１の上面の少なくとも一部に隣接し、該第２の底面の他の部分が、該左及び右ホイールの少なくともひとつにより投げ出される岩屑からの接触を受けるべく配置される第２のフェンダーパネル
を有する全地形万能車であって、
該第２のフェンダーパネルの外周部の少なくとも一部が、該第１のフェンダーパネルの外周部の横方向内側にある全地形万能車。
【請求項１４】
該第１の上面の一部が、装飾的なボディ面を規定し、該第２の上面の少なくとも一部が、装飾的なボディ面を規定する請求項１３記載の全地形万能車。
【請求項１５】
該第１のフェンダーパネルが、該フレームに締結され、該第２のフェンダーパネルが、該第１のフェンダーパネル及びフレームに締結される請求項１３記載の全地形万能車。
【請求項１６】
該第１のフェンダーパネル及び第２のフェンダーパネルの少なくとも一方が、全地形万能車の左側から全地形万能車の右側へ連続して延びる請求項１３記載の全地形万能車。
【請求項１７】
該第１のホイール及び第２のホイールの各々が、フロントホイールを有し、該第３のホイールが、リヤホイールを有し、該第１のフェンダーパネルが、下側フロントフェンダーパネルを有し、該第２のフェンダーパネルが、上側フロントフェンダーパネルを有するものである請求項１記載の全地形万能車。
【請求項１８】
フレーム；
該フレームに対して支持されるホイール；並びに
下側フェンダーパネル、及び、該下側フェンダーパネルに少なくとも部分的に重なる上側フェンダーパネルであって、該上側フェンダーパネルの一部は、間隔をおかれた関係で下側フェンダーパネルの一部と共同してアクセス開口部及び溝部の両方を規定し、該溝部が、該ホイールに少なくとも部分的に重なり、該アクセス開口部から所定の出口開口部への所定の通路に沿った流体の通過を容易にするように構成され、該所定の出口開口部が、下方に向けられる上側フェンダーパネルを備えたフェンダーアセンブリ
を有する全地形万能車。
【請求項１９】
該溝部が、全地形万能車の前方端部から全地形万能車の後方端部へ全体として長手方向に方向付けられた方向に延びる請求項１８記載の全地形万能車。
【請求項２０】
該アクセス開口部が、全地形万能車の前方端部に向かって指向させられる請求項１８記載の全地形万能車。
【請求項２１】
該所定の出口開口部が、該下側フェンダーパネルにより少なくとも部分的に規定される請求項１８記載の全地形万能車。
【請求項２２】
全地形万能車が、左側及び右側をさらに有し、所定の出口開口部が、該左側と右側との間の中間に配置される請求項２１記載の全地形万能車。
【請求項２３】
下側フェンダーパネル；及び
その一部が、間隔をおかれた関係で下側フェンダーパネルの一部と共同してアクセス開口部及び溝部の両方を規定するように、部分的に重なり合う関係での下側フェンダーパネルへの取付け用に構成される上側フェンダーパネルであって、該下側フェンダーパネルが、該下側フェンダーパネルを通じて延びる所定の出口開口部を規定し、該溝部が、アクセス開口部から所定の出口開口部への流体の通過を容易にするように構成される上側フェンダーパネル
を有する全地形万能車用フェンダーアセンブリ。
【請求項２４】
フレーム；
該フレームに対して支持される左ホイール；
該フレームに対して支持される右ホイール；並びに
下側フェンダーパネル、及び、該下側フェンダーパネルに少なくとも部分的に重なる上側フェンダーパネルであって、該上側フェンダーパネルの左部分が、間隔をおかれた関係で該下側フェンダーパネルの左部分と共同して左アクセス開口部及び左溝部の両方を規定し、該左溝部が、少なくとも部分的に左ホイールの上に位置し、左アクセス開口部から第１の所定の出口開口部への流体の通過を容易にするように構成され、該上側フェンダーパネルの右部分が、間隔をおかれた関係で該下側フェンダーパネルの右部分と共同して右アクセス開口部及び右溝部の両方を規定し、該右溝部が、少なくとも部分的に右ホイールの上に位置し、右アクセス開口部から第２の所定の出口開口部への流体の通過を容易にするように構成され、該第１及び第２の所定の出口開口部が、それぞれ、該左ホイール及び右ホイールの各々の横方向内側にある上側フェンダーパネルを備えたフェンダーアセンブリ
を有する全地形万能車。
【請求項２５】
該左溝部が、全地形万能車の前方端部から全地形万能車の後方端部へ全体として長手方向に方向付けられる方向に延び、また、該右溝部が、全地形万能車の前方端部から全地形万能車の後方端部へ全体として長手方向に方向付けられる方向に延びる請求項２４記載の全地形万能車。
【請求項２６】
該左アクセス開口部及び右アクセス開口部の各々が、全地形万能車の前方端部に向かって指向させられる請求項２４記載の全地形万能車。
【請求項２７】
第３の所定の出口開口部をさらに有し、
該左溝部が、該左アクセス開口部から第１及び第３の所定の出口開口部への流体の通過を容易にするように構成され、
該右溝部が、該右アクセス開口部から第２及び第３の所定の出口開口部への流体の通過を容易にするように構成される請求項２４記載の全地形万能車。
【請求項２８】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進し、
該上側フェンダーパネルの一部が、間隔をおかれた関係で該下側フェンダーパネルの一部と共同してアクセス開口部及び溝部の両方を規定し、該溝部が、少なくとも部分的にホイールの上に位置し、該第１の内側端部と取付け位置との間に配置される全地形万能車。
【請求項２９】
該アクセス開口部が、全地形万能車の前方端部の方向に向けられ、所定の出口開口部が、該下側フェンダーパネルにより少なくとも部分的に規定される請求項２８記載の全地形万能車。
【請求項３０】
該溝部が、全地形万能車の前方端部から全地形万能車の後方端部へ全体として長手方向に方向付けられた方向に延びる請求項２９記載の全地形万能車。
【請求項３１】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進し、
該第１の内側端部が、該第２の内側端部に接触し、ファスナーが、該第１の内側端部、該第２の内側端部及びフレームの各々における位置合わせされた孔部内に通過し、また、該上側フェンダーパネルが、該取付け位置にて下側フェンダーパネルに接触する全地形万能車。
【請求項３２】
該下側フェンダーパネルが、該第１の内側端部に隣接して該第１の底面の下方に付属する脚部を有し、該脚部が、該フレームを横方向に押圧するように構成される請求項２８記載の全地形万能車。
【請求項３３】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進し、
該下側フェンダーパネルが、該第１の内側端部に隣接して該第１の底面の下方に付属する脚部を有し、該脚部が、該フレームを横方向に押圧するように構成され、
該脚部が、該フレームに接触するように構成されるラバーバンパーを有するものである全地形万能車。
【請求項３４】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進し、
該取付け位置が、該第２の外側端部に隣接し、該第１の外側端部が、該フェンダーアセンブリの外周部を規定する全地形万能車。
【請求項３５】
該第１の上面の一部が、装飾的なボディ面を規定し、該第２の上面の少なくとも一部が、装飾的なボディ面を規定する請求項２８記載の全地形万能車。
【請求項３６】
フレーム；
該フレームに対して支持されるホイール；並びに
第１の上面及び第１の底面を有し、第１の内側端部から第１の外側端部へ延びる下側フェンダーパネルであって、該第１の内側端部がフレームに取り付けられ、該第１の底面が、該ホイールにより投げ出される岩屑からの接触を受けるべく配置される下側フェンダーパネル、及び、第２の上面及び第２の底面を有し、第２の内側端部から第２の外側端部へ延びる上側フェンダーパネルであって、該第２の内側端部がフレームに取り付けられ、該上側フェンダーパネルが第１の外側端部及び第２の外側端部の少なくとも一方に隣接した取付け位置で下側フェンダーパネルに取り付けられ、該第２の底面が該ホイールから投げ出される岩屑からの接触を受けるべく配置される上側フェンダーパネルを備えたフェンダーアセンブリ
を有する全地形万能車であって、
該下側フェンダーパネル及び上側フェンダーパネルの各々が、少なくとも部分的にホイールにわたり延び、下側フェンダーパネル及び上側フェンダーパネルが、共同して垂直たわみに対する取付け位置の抵抗を促進し、
該下側フェンダーパネル及び上側フェンダーパネルの少なくとも一方が、全地形万能車の左側から全地形万能車の右側へ連続的に延びる全地形万能車。
【請求項３７】
フレーム；
該フレームに対して支持されるホイール；並びに
第１の内側端部から第１の外側端部へ延びる下側フェンダーパネル、及び、第２の内側端部から第２の外側端部へ延びる上側フェンダーパネルであって、該上側フェンダーパネルが、第１の外側端部及び第２の外側端部の少なくとも一方に隣接した取付け位置で下側フェンダーパネルに取り付けられる上側フェンダーパネルを備えたフェンダーアセンブリ
を有する全地形万能車であって、
該下側フェンダーパネル及び上側フェンダーパネルの各々が、少なくとも部分的にホイールにわたり延び、該上側フェンダーパネルの一部が、間隔をおかれた関係で、下側フェンダーパネルの一部と共同してアクセス開口部及び溝部の両方を規定し、該溝部が、少なくとも部分的にホイールの上に位置し、第１の内側端部と取付け位置との間に配置され、該溝部が、アクセス開口部から所定の出口開口部への所定の通路に沿った流体の通過を容易にするように構成され、該下側フェンダーパネル及び上側フェンダーパネルが、フレームに対する取付け位置を支持するために共同して垂直たわみに対する取付け位置の抵抗を促進し、
該取付け位置が、該第２の外側端部に隣接し、該第１の外側端部が、該フェンダーアセンブリの外周部を規定する全地形万能車。
【請求項３８】
該溝部が、全地形万能車の前方端部から全地形万能車の後方端部へ全体として長手方向に方向付けられた方向に延びる請求項３７記載の全地形万能車。
【請求項３９】
該アクセス開口部が、全地形万能車の前方端部の方向に向けられ、該所定の出口開口部が、該下側フェンダーパネルにより少なくとも部分的に規定される請求項３８記載の全地形万能車。
【請求項４０】
該第１の内側端部が、該第２の内側端部に接触し、ファスナーが、該第１の内側端部、該第２の内側端部及び該フレームの各々における位置合わせされた孔部内に通過し、該上側フェンダーパネルが、該取付け位置で該下側フェンダーパネルに接触する請求項３７記載の全地形万能車。
【請求項４１】
該下側フェンダーパネル及び上側フェンダーパネルの少なくとも一方が、全地形万能車の左側から全地形万能車の右側へ連続して延びる請求項３７記載の全地形万能車。
【請求項４２】
フレーム；
該フレームに対して支持される左ホイール；
該フレームに対して支持される右ホイール；並びに
第１の内側端部から第１の外側端部へ延びる下側フェンダーパネルであって、該第１の内側端部が該フレームに取り付けられる下側フェンダーパネル、及び、第２の内側端部から第２の外側端部へ延びる上側フェンダーパネルであって、該第２の内側端部が該フレームに取り付けられ、該上側フェンダーパネルが、第１の外側端部及び第２の外側端部の少なくとも一方に隣接した取付け位置で該下側フェンダーパネルに取り付けられる上側フェンダーパネルを備えたフェンダーアセンブリ
を有する全地形万能車であって、
該下側フェンダーパネル及び上側フェンダーパネルの各々が、少なくとも部分的に左ホイール及び右ホイールの各々にわたり延び、該下側フェンダーパネル及び上側フェンダーパネルが、取付け位置を支持するために共同して垂直たわみに対する取付け位置の抵抗を促進し、
該取付け位置が該第２の外側端部に隣接し、該第１の外側端部が該フェンダーアセンブリの外周部を規定する全地形万能車。
【請求項４３】
該上側フェンダーパネルの一部が、間隔をおかれた関係で、下側フェンダーパネルの一部と共同して、少なくとも部分的に左ホイール及び右ホイールの一方の上に位置し、該第１の内側端部と取付け位置との間に配置される溝部を規定し、該溝部が、全地形万能車の前方端部から全地形万能車の後方端部へ全体として長手方向に方向付けられた方向に延びる請求項４２記載の全地形万能車。
【請求項４４】
該第１の内側端部が該第２の内側端部に接触し、ファスナーが、該第１の内側端部、該第２の内側端部及び該フレームの各々における位置合わせされた孔部内に通過し、該上側フェンダーパネルが、該取付け位置で該下側フェンダーパネルに接触する請求項４２記載の全地形万能車。
【国際調査報告】
2009544529.tif 000043
2009544529.tif 000044
2009544529.tif 000045